(57)【要約】ワイヤレス中継デバイスは、ネットワークに転送されるべき１つまたは複数の遅延耐性メッセージをワイヤレスデバイスが有することを示すリクエストを受信し得る。ワイヤレス中継デバイスは、ネットワーク接触までの推定時間を示す応答メッセージをワイヤレスデバイスに送り得る。ワイヤレス中継デバイスは、転送されるべき遅延耐性メッセージを受信およびキャッシュする。ワイヤレス中継デバイスは、１つまたは複数の遅延耐性メッセージのうちの少なくとも１つを転送し得る。【選択図】図２Ａ
2019521615.tif 000002
【特許請求の範囲】
【請求項１】
ワイヤレス通信のための方法であって、
第１のワイヤレス中継デバイスで、ネットワークに転送されるべき１つまたは複数の遅延耐性メッセージをワイヤレスデバイスが有することを示すリクエストを受信することと、
ネットワーク接触までの推定時間を示す応答メッセージを前記ワイヤレスデバイスに送ることと、
転送されるべき前記１つまたは複数の遅延耐性メッセージを受信およびキャッシュすることと、
前記１つまたは複数の遅延耐性メッセージのうちの少なくとも１つを転送することと、
を備える方法。
【請求項２】
第２のワイヤレス中継デバイスから、少なくとも前記第２のワイヤレス中継デバイスについてのネットワーク接触までの推定時間を示すメッセージを受信することと、
前記１つまたは複数の遅延耐性メッセージのうちの前記少なくとも１つを前記第２のワイヤレス中継デバイスに転送することと、
をさらに備える、請求項１に記載の方法。
【請求項３】
前記第２のワイヤレス中継デバイスからコストメトリックを受信することをさらに備え、前記１つまたは複数の遅延耐性メッセージのうちの前記少なくとも１つを転送することは、前記受信されたコストメトリックに少なくとも部分的に基づく、請求項２に記載の方法。
【請求項４】
前記応答メッセージを前記ワイヤレスデバイスに送ることは、前記応答メッセージに前記ネットワーク接触までの推定時間を含めることを備える、請求項１に記載の方法。
【請求項５】
前記リクエストは、いつ前記１つまたは複数の遅延耐性メッセージが前記ネットワークに送られることになるかについての遅延耐性または期限を備える、請求項１に記載の方法。
【請求項６】
前記応答メッセージを前記ワイヤレスデバイスに送ることは、前記ネットワーク接触までの推定時間を前記遅延耐性または期限と比較することを備え、
前記方法は、前記比較に基づいて、前記応答メッセージを前記ワイヤレスデバイスに送ることをさらに備える、請求項５に記載の方法。
【請求項７】
前記遅延耐性メッセージのうちの１つまたは複数が、前記遅延耐性内または前記期限内に転送されないことに少なくとも部分的に基づいて前記遅延耐性メッセージのうちの前記１つまたは複数を消去することをさらに備える、請求項５に記載の方法。
【請求項８】
前記第１のワイヤレス中継デバイスによって、少なくとも１つの無線アクセス技術（ＲＡＴ）を介した前記ネットワークとの接触の履歴を使用して、次に前記第１のワイヤレス中継デバイスが前記少なくとも１つのＲＡＴについてのネットワーク接触を行うように予期されるときを示す前記ネットワーク接触までの推定時間を決定することをさらに備える、請求項１に記載の方法。
【請求項９】
前記第１のワイヤレス中継デバイスが使用することが可能であるそれぞれのＲＡＴごとに、前記決定されたネットワーク接触までの推定時間を維持することをさらに備える、請求項８に記載の方法。
【請求項１０】
少なくとも１つの無線アクセス技術（ＲＡＴ）についてのコストメトリックを計算することと、ここにおいて前記コストメトリックは、金銭的コスト、ワイヤレス中継デバイスリソース使用量、チャネル品質、または前記第１のワイヤレス中継デバイスが有する前記ネットワークとの既存の接続のうちの少なくとも１つに基づく、
前記計算されたコストメトリックを前記ワイヤレスデバイスに送信することと、
をさらに備える、請求項１に記載の方法。
【請求項１１】
前記１つまたは複数の遅延耐性メッセージのうちの少なくとも１つは、前記計算されたコストメトリックに少なくとも部分的に基づいてキャッシュされたままである、請求項１０に記載の方法。
【請求項１２】
前記ネットワーク接触までの推定時間は、サポートされているアクセスネットワーク、モビリティパターン、アプリケーショントラフィックダイナミクス、またはそれらの組合せのうちの少なくとも１つに基づく、請求項１に記載の方法。
【請求項１３】
ネットワーク接触までの推定時間を示すメッセージをブロードキャストすることをさらに備える、請求項１に記載の方法。
【請求項１４】
前記１つまたは複数の遅延耐性メッセージのうちの前記少なくとも１つは、前記ネットワークに転送される、請求項１に記載の方法。
【請求項１５】
ワイヤレス通信のための方法であって、
ワイヤレスデバイスから、ネットワークに転送されるべき１つまたは複数の遅延耐性メッセージを前記ワイヤレスデバイスが有することを示すリクエストを送ることと、
対応する１つまたは複数のワイヤレス中継デバイスから１つまたは複数の応答メッセージを受信することと、前記１つまたは複数の応答メッセージは各々、対応するワイヤレス中継デバイスについてのネットワーク接触までの推定時間を示す、
前記ネットワークに転送されるよう前記１つまたは複数の遅延耐性メッセージが送られ得る先の前記１つまたは複数のワイヤレス中継デバイスのうちの少なくとも１つを決定するために、前記１つまたは複数の応答メッセージを評価することと、
前記１つまたは複数の遅延耐性メッセージを前記１つまたは複数のワイヤレス中継デバイスのうちの前記少なくとも１つに送信することと、
を備える方法。
【請求項１６】
前記リクエストを送ることは、前記リクエストに、いつ前記１つまたは複数の遅延耐性メッセージが前記ネットワークに転送されることになるかについての遅延耐性または期限を含めることを備える、請求項１５に記載の方法。
【請求項１７】
前記１つまたは複数の応答メッセージはコストメトリックをさらに備え、前記コストメトリックは、金銭的コスト、ワイヤレス中継デバイスリソース使用量、チャネル品質、またはワイヤレス中継デバイスが有する前記ネットワークとの既存の接続のうちの少なくとも１つに基づく、請求項１５に記載の方法。
【請求項１８】
前記ネットワーク接触までの推定時間は、サポートされているアクセスネットワーク、モビリティパターン、アプリケーショントラフィックダイナミクス、またはそれらの組合せのうちの少なくとも１つに基づく、請求項１５に記載の方法。
【請求項１９】
前記１つまたは複数の応答メッセージは、前記１つまたは複数のワイヤレス中継デバイスから受信された１つまたは複数のブロードキャストメッセージを備える、請求項１５に記載の方法。
【請求項２０】
前記１つまたは複数の応答メッセージを評価することは、前記１つまたは複数の遅延耐性メッセージが、遅延耐性内または期限前に前記ネットワークに転送される確率を決定することをさらに備える、請求項１５に記載の方法。
【請求項２１】
前記リクエストを送ることは、Ｂｌｕｅｔｏｏｔｈ低エネルギー（ＢＬＥ）、ＷｉＦｉ  Ａｗａｒｅ、ロングタームエボリューション（ＬＴＥ）Ｄｉｒｅｃｔ、またはＬＴＥ近接サービスのうちの１つである送信プロトコルを使用することを備える、請求項１５に記載の方法。
【請求項２２】
ワイヤレス通信のための方法であって、
ワイヤレスデバイスから、ネットワークに転送されるべき１つまたは複数の遅延耐性メッセージを前記ワイヤレスデバイスが有することを示すリクエストを送ることと、前記リクエストは、いつ前記１つまたは複数の遅延耐性メッセージが前記ネットワークに転送されることになるかについての遅延耐性または期限を含む、
対応する１つまたは複数のワイヤレス中継デバイスから１つまたは複数の応答メッセージを受信することと、
前記１つまたは複数の遅延耐性メッセージを前記１つまたは複数のワイヤレス中継デバイスのうちの前記少なくとも１つに送信することと、
を備える方法。
【請求項２３】
前記ネットワークに転送されるよう前記１つまたは複数の遅延耐性メッセージが送られ得る先の前記１つまたは複数のワイヤレス中継デバイスのうちの少なくとも１つを決定するために、前記１つまたは複数の応答メッセージを評価することをさらに備え、前記１つまたは複数の応答メッセージは、１つまたは複数の評価パラメータを含む、請求項２２に記載の方法。
【請求項２４】
前記１つまたは複数の評価パラメータはコストメトリックを含み、前記コストメトリックは、金銭的コスト、ワイヤレス中継デバイスリソース使用量、チャネル品質、またはワイヤレス中継デバイスが有する前記ネットワークとの既存の接続のうちの少なくとも１つに基づく、請求項２３に記載の方法。
【請求項２５】
前記１つまたは複数の評価パラメータは、前記対応するワイヤレス中継デバイスについてのネットワーク接触までの推定時間を含み、前記ネットワーク接触までの推定時間は、サポートされているアクセスネットワーク、モビリティパターン、アプリケーショントラフィックダイナミクス、またはそれらの組合せのうちの少なくとも１つに基づく、請求項２３に記載の方法。
【請求項２６】
前記１つまたは複数の応答メッセージを評価することは、前記１つまたは複数の遅延耐性メッセージが、前記遅延耐性内または前記期限内に前記ネットワークに転送される確率を決定することをさらに備える、請求項２３に記載の方法。
【請求項２７】
前記リクエストを送ることは、Ｂｌｕｅｔｏｏｔｈ低エネルギー（ＢＬＥ）、ＷｉＦｉ  Ａｗａｒｅ、ロングタームエボリューション（ＬＴＥ）Ｄｉｒｅｃｔ、またはＬＴＥ近接サービスのうちの１つである送信プロトコルを使用することを備える、請求項２２に記載の方法。
【請求項２８】
ワイヤレス通信のための装置であって、
第１のワイヤレス中継デバイスで、ネットワークに転送されるべき１つまたは複数の遅延耐性メッセージをワイヤレスデバイスが有することを示すリクエストを受信するための手段と、
ネットワーク接触までの推定時間を示す応答メッセージを前記ワイヤレスデバイスに送るための手段と、
転送されるべき前記１つまたは複数の遅延耐性メッセージを受信およびキャッシュするための手段と、
前記１つまたは複数の遅延耐性メッセージのうちの少なくとも１つを転送するための手段と、
を備える装置。
【請求項２９】
第２のワイヤレス中継デバイスから、少なくとも前記第２のワイヤレス中継デバイスについてのネットワーク接触までの推定時間を示すメッセージを受信するための手段と、
前記１つまたは複数の遅延耐性メッセージのうちの前記少なくとも１つを前記第２のワイヤレス中継デバイスに転送するための手段と、
をさらに備える、請求項２８に記載の装置。
【請求項３０】
前記第２のワイヤレス中継デバイスからコストメトリックを受信するための装置をさらに備え、前記１つまたは複数の遅延耐性メッセージのうちの前記少なくとも１つを転送することは、前記受信されたコストメトリックに少なくとも部分的に基づく、請求項２９に記載の装置。
【請求項３１】
前記応答メッセージを前記ワイヤレスデバイスに送るための前記手段は、前記ネットワーク接触までの推定時間を前記応答メッセージに含めるための手段を備える、請求項２８に記載の装置。
【請求項３２】
前記リクエストは、いつ前記１つまたは複数の遅延耐性メッセージが前記ネットワークに送られることになるかについての遅延耐性または期限を備える、請求項２８に記載の装置。
【請求項３３】
前記応答メッセージを前記ワイヤレスデバイスに送るための前記手段は、前記ネットワーク接触までの推定時間を前記遅延耐性または期限と比較するための手段を備え、
前記装置は、前記比較に基づいて、前記応答メッセージを前記ワイヤレスデバイスに送るための手段をさらに備える、請求項３２に記載の装置。
【請求項３４】
前記遅延耐性メッセージのうちの１つまたは複数が、前記遅延耐性内または前記期限内に転送されないことに少なくとも部分的に基づいて前記遅延耐性メッセージのうちの前記１つまたは複数を消去するための手段をさらに備える、請求項３２に記載の装置。
【請求項３５】
前記第１のワイヤレス中継デバイスによって、少なくとも１つの無線アクセス技術（ＲＡＴ）を介した前記ネットワークとの接触の履歴を使用して、次に前記第１のワイヤレス中継デバイスが前記少なくとも１つのＲＡＴについてのネットワーク接触を行うように予期されるときを示す前記ネットワーク接触までの推定時間を決定するための手段をさらに備える、請求項２８に記載の装置。
【請求項３６】
前記第１のワイヤレス中継デバイスが使用することが可能であるそれぞれのＲＡＴごとに、前記決定されたネットワーク接触までの推定時間を維持するための手段をさらに備える、請求項３５に記載の装置。
【請求項３７】
少なくとも１つの無線アクセス技術（ＲＡＴ）についてのコストメトリックを計算するための手段と、ここにおいて前記コストメトリックは、金銭的コスト、ワイヤレス中継デバイスリソース使用量、チャネル品質、または前記第１のワイヤレス中継デバイスが有する前記ネットワークとの既存の接続のうちの少なくとも１つに基づく、
前記計算されたコストメトリックを前記ワイヤレスデバイスに送信するための手段と、
をさらに備える、請求項２８に記載の装置。
【請求項３８】
前記１つまたは複数の遅延耐性メッセージのうちの少なくとも１つは、前記計算されたコストメトリックに少なくとも部分的に基づいてキャッシュされたままである、請求項３７に記載の装置。
【請求項３９】
前記ネットワーク接触までの推定時間は、サポートされているアクセスネットワーク、モビリティパターン、アプリケーショントラフィックダイナミクス、またはそれらの組合せのうちの少なくとも１つに基づく、請求項２８に記載の装置。
【請求項４０】
ネットワーク接触までの推定時間を示すメッセージをブロードキャストするための手段をさらに備える、請求項２８に記載の装置。
【請求項４１】
前記１つまたは複数の遅延耐性メッセージのうちの前記少なくとも１つは、前記ネットワークに転送される、請求項２８に記載の装置。
【請求項４２】
ワイヤレス通信のための装置であって、
ワイヤレスデバイスから、ネットワークに転送されるべき１つまたは複数の遅延耐性メッセージを前記ワイヤレスデバイスが有することを示すリクエストを送るための手段と、
対応する１つまたは複数のワイヤレス中継デバイスから１つまたは複数の応答メッセージを受信するための手段と、前記１つまたは複数の応答メッセージは各々、対応するワイヤレス中継デバイスについてのネットワーク接触までの推定時間を示す、
前記ネットワークに転送されるよう前記１つまたは複数の遅延耐性メッセージが送られ得る先の前記１つまたは複数のワイヤレス中継デバイスのうちの少なくとも１つを決定するために、前記１つまたは複数の応答メッセージを評価するための手段と、
前記１つまたは複数の遅延耐性メッセージを前記１つまたは複数のワイヤレス中継デバイスのうちの前記少なくとも１つに送信するための手段と、
を備える装置。
【請求項４３】
前記リクエストを送るための前記手段は、前記リクエストに、いつ前記１つまたは複数の遅延耐性メッセージが前記ネットワークに転送されることになるかについての遅延耐性または期限を含めるための手段を備える、請求項４２に記載の装置。
【請求項４４】
前記１つまたは複数の応答メッセージはコストメトリックをさらに備え、前記コストメトリックは、金銭的コスト、ワイヤレス中継デバイスリソース使用量、チャネル品質、またはワイヤレス中継デバイスが有する前記ネットワークとの既存の接続のうちの少なくとも１つに基づく、請求項４２に記載の装置。
【請求項４５】
前記ネットワーク接触までの推定時間は、サポートされているアクセスネットワーク、モビリティパターン、アプリケーショントラフィックダイナミクス、またはそれらの組合せのうちの少なくとも１つに基づく、請求項４２に記載の装置。
【請求項４６】
前記１つまたは複数の応答メッセージは、前記１つまたは複数のワイヤレス中継デバイスから受信された１つまたは複数のブロードキャストメッセージを備える、請求項４２に記載の装置。
【請求項４７】
前記１つまたは複数の応答メッセージを評価するための前記手段は、前記１つまたは複数の遅延耐性メッセージが、遅延耐性内または期限前に前記ネットワークに転送される確率を決定するための手段をさらに備える、請求項４２に記載の装置。
【請求項４８】
前記リクエストを送るための前記手段は、Ｂｌｕｅｔｏｏｔｈ低エネルギー（ＢＬＥ）、ＷｉＦｉ  Ａｗａｒｅ、ロングタームエボリューション（ＬＴＥ）Ｄｉｒｅｃｔ、またはＬＴＥ近接サービスのうちの１つである送信プロトコルを使用するための手段を備える、請求項４２に記載の装置。
【請求項４９】
ワイヤレス通信のための装置であって、
ワイヤレスデバイスから、ネットワークに転送されるべき１つまたは複数の遅延耐性メッセージを前記ワイヤレスデバイスが有することを示すリクエストを送るための手段と、前記リクエストは、いつ前記１つまたは複数の遅延耐性メッセージが前記ネットワークに転送されることになるかについての遅延耐性または期限を含む、
対応する１つまたは複数のワイヤレス中継デバイスから１つまたは複数の応答メッセージを受信するための手段と、
前記１つまたは複数の遅延耐性メッセージを前記１つまたは複数のワイヤレス中継デバイスのうちの前記少なくとも１つに送信するための手段と、
を備える装置。
【請求項５０】
前記ネットワークに転送されるよう前記１つまたは複数の遅延耐性メッセージが送られ得る先の前記１つまたは複数のワイヤレス中継デバイスのうちの少なくとも１つを決定するために、前記１つまたは複数の応答メッセージを評価するための手段をさらに備え、前記１つまたは複数の応答メッセージは、１つまたは複数の評価パラメータを含む、請求項４９に記載の装置。
【請求項５１】
前記１つまたは複数の評価パラメータはコストメトリックを含み、前記コストメトリックは、金銭的コスト、ワイヤレス中継デバイスリソース使用量、チャネル品質、またはワイヤレス中継デバイスが有する前記ネットワークとの既存の接続のうちの少なくとも１つに基づく、請求項５０に記載の装置。
【請求項５２】
前記１つまたは複数の評価パラメータは、前記対応するワイヤレス中継デバイスについてのネットワーク接触までの推定時間を含み、前記ネットワーク接触までの推定時間は、サポートされているアクセスネットワーク、モビリティパターン、アプリケーショントラフィックダイナミクス、またはそれらの組合せのうちの少なくとも１つに基づく、請求項５０に記載の装置。
【請求項５３】
前記１つまたは複数の応答メッセージを評価するための前記手段は、前記１つまたは複数の遅延耐性メッセージが、前記遅延耐性内または前記期限前に前記ネットワークに転送される確率を決定するための手段をさらに備える、請求項５０に記載の装置。
【請求項５４】
前記リクエストを送るための前記手段は、Ｂｌｕｅｔｏｏｔｈ低エネルギー（ＢＬＥ）、ＷｉＦｉ  Ａｗａｒｅ、ロングタームエボリューション（ＬＴＥ）Ｄｉｒｅｃｔ、またはＬＴＥ近接サービスのうちの１つである送信プロトコルを使用するための手段を備える、請求項４９に記載の装置。
【請求項５５】
ワイヤレス通信のための装置であって、システムにおいて、
プロセッサと、
前記プロセッサと電子通信するメモリと、
前記メモリに記憶され、前記プロセッサによって実行されると、前記装置に、
第１のワイヤレス中継デバイスで、ネットワークに転送されるべき１つまたは複数の遅延耐性メッセージをワイヤレスデバイスが有することを示すリクエストを受信することと、
ネットワーク接触までの推定時間を示す応答メッセージを前記ワイヤレスデバイスに送ることと、
転送されるべき前記１つまたは複数の遅延耐性メッセージを受信およびキャッシュすることと、
前記１つまたは複数の遅延耐性メッセージのうちの少なくとも１つを転送することと、
を行わせるように動作可能な命令と、
を備える装置。
【請求項５６】
前記命令は、
第２のワイヤレス中継デバイスから、少なくとも前記第２のワイヤレス中継デバイスについてのネットワーク接触までの推定時間を示すメッセージを受信することと、
前記１つまたは複数の遅延耐性メッセージのうちの前記少なくとも１つを前記第２のワイヤレス中継デバイスに転送することと、
を行うように前記プロセッサによってさらに実行可能である、請求項５５に記載の装置。
【請求項５７】
前記命令は、
前記第２のワイヤレス中継デバイスからコストメトリックを受信するように前記プロセッサによってさらに実行可能であり、前記１つまたは複数の遅延耐性メッセージのうちの前記少なくとも１つを転送することは、前記受信されたコストメトリックに少なくとも部分的に基づく、請求項５６に記載の装置。
【請求項５８】
前記命令は、
前記ネットワーク接触までの推定時間を前記応答メッセージに含めるように前記プロセッサによってさらに実行可能である、請求項５５に記載の装置。
【請求項５９】
前記リクエストは、いつ前記１つまたは複数の遅延耐性メッセージが前記ネットワークに送られることになるかについての遅延耐性または期限を備える、請求項５５に記載の装置。
【請求項６０】
前記装置に、前記応答メッセージを前記ワイヤレスデバイスに送ることを行わせるように実行可能な前記命令は、前記装置に、
前記ネットワーク接触までの推定時間を前記遅延耐性または期限と比較することと、
前記比較に基づいて、前記応答メッセージを前記ワイヤレスデバイスに送ることと、
を行わせるように実行可能な命令を備える、請求項５９に記載の装置。
【請求項６１】
前記命令は、
前記遅延耐性メッセージのうちの１つまたは複数が、前記遅延耐性内または前記期限内に転送されないことに少なくとも部分的に基づいて前記遅延耐性メッセージのうちの前記１つまたは複数を消去するように前記プロセッサによってさらに実行可能である、請求項５９に記載の装置。
【請求項６２】
前記命令は、
前記第１のワイヤレス中継デバイスによって、少なくとも１つの無線アクセス技術（ＲＡＴ）を介した前記ネットワークとの接触の履歴を使用して、次に前記第１のワイヤレス中継デバイスが前記少なくとも１つのＲＡＴについてのネットワーク接触を行うように予期されるときを示す前記ネットワーク接触までの推定時間を決定するように前記プロセッサによってさらに実行可能である、請求項５５に記載の装置。
【請求項６３】
前記命令は、
前記第１のワイヤレス中継デバイスが使用することが可能であるそれぞれのＲＡＴごとに、前記決定されたネットワーク接触までの推定時間を維持するように前記プロセッサによってさらに実行可能である、請求項６２に記載の装置。
【請求項６４】
前記命令は、
少なくとも１つの無線アクセス技術（ＲＡＴ）についてのコストメトリックを計算することと、ここにおいて前記コストメトリックは、金銭的コスト、ワイヤレス中継デバイスリソース使用量、チャネル品質、または前記第１のワイヤレス中継デバイスが有する前記ネットワークとの既存の接続のうちの少なくとも１つに基づく、
前記計算されたコストメトリックを前記ワイヤレスデバイスに送信することと、
を行うように前記プロセッサによってさらに実行可能である、請求項５５に記載の装置。
【請求項６５】
前記１つまたは複数の遅延耐性メッセージのうちの少なくとも１つは、前記計算されたコストメトリックに少なくとも部分的に基づいてキャッシュされたままである、請求項６４に記載の装置。
【請求項６６】
前記ネットワーク接触までの推定時間は、サポートされているアクセスネットワーク、モビリティパターン、アプリケーショントラフィックダイナミクス、またはそれらの組合せのうちの少なくとも１つに基づく、請求項５５に記載の装置。
【請求項６７】
ネットワーク接触までの推定時間を示すメッセージをブロードキャストするように前記プロセッサによってさらに実行可能である、請求項５５に記載の装置。
【請求項６８】
前記１つまたは複数の遅延耐性メッセージのうちの前記少なくとも１つは、前記ネットワークに転送される、請求項５５に記載の装置。
【請求項６９】
ワイヤレス通信のための装置であって、システムにおいて、
プロセッサと、
前記プロセッサと電子通信するメモリと、
前記メモリに記憶され、前記プロセッサによって実行されると、前記装置に、
ワイヤレスデバイスから、ネットワークに転送されるべき１つまたは複数の遅延耐性メッセージを前記ワイヤレスデバイスが有することを示すリクエストを送ることと、
対応する１つまたは複数のワイヤレス中継デバイスから１つまたは複数の応答メッセージを受信することと、前記１つまたは複数の応答メッセージは各々、対応するワイヤレス中継デバイスについてのネットワーク接触までの推定時間を示す、
前記ネットワークに転送されるよう前記１つまたは複数の遅延耐性メッセージが送られ得る先の前記１つまたは複数のワイヤレス中継デバイスのうちの少なくとも１つを決定するために、前記１つまたは複数の応答メッセージを評価することと、
前記１つまたは複数の遅延耐性メッセージを前記１つまたは複数のワイヤレス中継デバイスのうちの前記少なくとも１つに送信することと、
を行わせるように動作可能な命令と、
を備える装置。
【請求項７０】
前記装置に、前記リクエストを送らせるように実行可能な前記命令は、前記装置に、
前記リクエストに、いつ前記１つまたは複数の遅延耐性メッセージが前記ネットワークに転送されることになるかについての遅延耐性または期限を含めることを行わせるように実行可能な命令を備える、請求項６９に記載の装置。
【請求項７１】
前記１つまたは複数の応答メッセージはコストメトリックをさらに備え、前記コストメトリックは、金銭的コスト、ワイヤレス中継デバイスリソース使用量、チャネル品質、またはワイヤレス中継デバイスが有する前記ネットワークとの既存の接続のうちの少なくとも１つに基づく、請求項６９に記載の装置。
【請求項７２】
前記ネットワーク接触までの推定時間は、サポートされているアクセスネットワーク、モビリティパターン、アプリケーショントラフィックダイナミクス、またはそれらの組合せのうちの少なくとも１つに基づく、請求項６９に記載の装置。
【請求項７３】
前記１つまたは複数の応答メッセージは、前記１つまたは複数のワイヤレス中継デバイスから受信された１つまたは複数のブロードキャストメッセージを備える、請求項６９に記載の装置。
【請求項７４】
前記装置に、前記１つまたは複数の応答メッセージを評価させるように実行可能な前記命令は、前記装置に、
前記１つまたは複数の遅延耐性メッセージが遅延耐性内または期限前に前記ネットワークに転送される確率を決定させるように実行可能な命令を備える、請求項６９に記載の装置。
【請求項７５】
前記装置に、前記リクエストを送らせるように実行可能な前記命令は、前記装置に、
Ｂｌｕｅｔｏｏｔｈ低エネルギー（ＢＬＥ）、ＷｉＦｉ  Ａｗａｒｅ、ロングタームエボリューション（ＬＴＥ）Ｄｉｒｅｃｔ、またはＬＴＥ近接サービスのうちの１つである送信プロトコルを使用させるように実行可能な命令を備える、請求項６９に記載の装置。
【請求項７６】
ワイヤレス通信のための装置であって、システムにおいて、
プロセッサと、
前記プロセッサと電子通信するメモリと、
前記メモリに記憶され、前記プロセッサによって実行されると、前記装置に、
ワイヤレスデバイスから、ネットワークに転送されるべき１つまたは複数の遅延耐性メッセージを前記ワイヤレスデバイスが有することを示すリクエストを送ることと、前記リクエストは、いつ前記１つまたは複数の遅延耐性メッセージが前記ネットワークに転送されることになるかについての遅延耐性または期限を含む、
対応する１つまたは複数のワイヤレス中継デバイスから１つまたは複数の応答メッセージを受信することと、
前記１つまたは複数の遅延耐性メッセージを前記１つまたは複数のワイヤレス中継デバイスのうちの前記少なくとも１つに送信することと、
を行わせるように動作可能な命令と、
を備える装置。
【請求項７７】
前記命令は、
前記ネットワークに転送されるよう前記１つまたは複数の遅延耐性メッセージが送られ得る先の前記１つまたは複数のワイヤレス中継デバイスのうちの少なくとも１つを決定するために、前記１つまたは複数の応答メッセージを評価するように前記プロセッサによってさらに実行可能であり、前記１つまたは複数の応答メッセージは、１つまたは複数の評価パラメータを含む、請求項７６に記載の装置。
【請求項７８】
前記１つまたは複数の評価パラメータはコストメトリックを含み、前記コストメトリックは、金銭的コスト、ワイヤレス中継デバイスリソース使用量、チャネル品質、またはワイヤレス中継デバイスが有する前記ネットワークとの既存の接続のうちの少なくとも１つに基づく、請求項７７に記載の装置。
【請求項７９】
前記１つまたは複数の評価パラメータは、前記対応するワイヤレス中継デバイスについてのネットワーク接触までの推定時間を含み、前記ネットワーク接触までの推定時間は、サポートされているアクセスネットワーク、モビリティパターン、アプリケーショントラフィックダイナミクス、またはそれらの組合せのうちの少なくとも１つに基づく、請求項７７に記載の装置。
【請求項８０】
前記装置に、前記１つまたは複数の応答メッセージを評価させるように実行可能な前記命令は、前記装置に、
前記１つまたは複数の遅延耐性メッセージが前記遅延耐性内または前記期限前に前記ネットワークに転送される確率を決定させるように実行可能な命令を備える、請求項７７に記載の装置。
【請求項８１】
前記装置に、前記リクエストを送らせるように実行可能な前記命令は、前記装置に、
Ｂｌｕｅｔｏｏｔｈ低エネルギー（ＢＬＥ）、ＷｉＦｉ  Ａｗａｒｅ、ロングタームエボリューション（ＬＴＥ）Ｄｉｒｅｃｔ、またはＬＴＥ近接サービスのうちの１つである送信プロトコルを使用させるように実行可能な命令を備える、請求項７６に記載の装置。
【請求項８２】
ワイヤレス通信のためのコードを記憶する非一時的コンピュータ可読媒体であって、前記コードは、
第１のワイヤレス中継デバイスで、ネットワークに転送されるべき１つまたは複数の遅延耐性メッセージをワイヤレスデバイスが有することを示すリクエストを受信することと、
ネットワーク接触までの推定時間を示す応答メッセージを前記ワイヤレスデバイスに送ることと、
転送されるべき前記１つまたは複数の遅延耐性メッセージを受信およびキャッシュすることと、
前記１つまたは複数の遅延耐性メッセージのうちの少なくとも１つを転送することと、
を行うようにプロセッサによって実行可能な命令を備える非一時的コンピュータ可読媒体。
【請求項８３】
前記命令は、
第２のワイヤレス中継デバイスから、少なくとも前記第２のワイヤレス中継デバイスについてのネットワーク接触までの推定時間を示すメッセージを受信することと、
前記１つまたは複数の遅延耐性メッセージのうちの前記少なくとも１つを前記第２のワイヤレス中継デバイスに転送することと、
を行うように前記プロセッサによってさらに実行可能である、請求項８２に記載の非一時的コンピュータ可読媒体。
【請求項８４】
前記命令は、
前記第２のワイヤレス中継デバイスからコストメトリックを受信するように前記プロセッサによってさらに実行可能であり、前記１つまたは複数の遅延耐性メッセージのうちの前記少なくとも１つを転送することは、前記受信されたコストメトリックに少なくとも部分的に基づく、請求項８３に記載の非一時的コンピュータ可読媒体。
【請求項８５】
前記応答メッセージを前記ワイヤレスデバイスに送るように実行可能な前記命令は、
前記ネットワーク接触までの推定時間を前記応答メッセージに含めるように実行可能な命令を備える、請求項８２に記載の非一時的コンピュータ可読媒体。
【請求項８６】
前記リクエストは、いつ前記１つまたは複数の遅延耐性メッセージが前記ネットワークに送られることになるかについての遅延耐性または期限を備える、請求項８２に記載の非一時的コンピュータ可読媒体。
【請求項８７】
前記応答メッセージを前記ワイヤレスデバイスに送るように実行可能な前記命令は、
前記ネットワーク接触までの推定時間を前記遅延耐性または期限と比較することと、
前記比較に基づいて、前記応答メッセージを前記ワイヤレスデバイスに送ることと、
を行うように実行可能な命令を備える、請求項８６に記載の非一時的コンピュータ可読媒体。
【請求項８８】
前記命令は、
前記遅延耐性メッセージのうちの１つまたは複数が、前記遅延耐性内または前記期限内に転送されないことに少なくとも部分的に基づいて前記遅延耐性メッセージのうちの前記１つまたは複数を消去するように前記プロセッサによってさらに実行可能である、請求項８６に記載の非一時的コンピュータ可読媒体。
【請求項８９】
前記命令は、
前記第１のワイヤレス中継デバイスによって、少なくとも１つの無線アクセス技術（ＲＡＴ）を介した前記ネットワークとの接触の履歴を使用して、次に前記第１のワイヤレス中継デバイスが前記少なくとも１つのＲＡＴについてのネットワーク接触を行うように予期されるときを示す前記ネットワーク接触までの推定時間を決定するように前記プロセッサによってさらに実行可能である、請求項８２に記載の非一時的コンピュータ可読媒体。
【請求項９０】
前記命令は、
前記第１のワイヤレス中継デバイスが使用することが可能であるそれぞれのＲＡＴごとに、前記決定されたネットワーク接触までの推定時間を維持するように前記プロセッサによってさらに実行可能である、請求項８９に記載の非一時的コンピュータ可読媒体。
【請求項９１】
前記命令は、
少なくとも１つの無線アクセス技術（ＲＡＴ）についてのコストメトリックを計算することと、ここにおいて前記コストメトリックは、金銭的コスト、ワイヤレス中継デバイスリソース使用量、チャネル品質、または前記第１のワイヤレス中継デバイスが有する前記ネットワークとの既存の接続のうちの少なくとも１つに基づく、
前記計算されたコストメトリックを前記ワイヤレスデバイスに送信することと、
を前記プロセッサによってさらに実行可能である、請求項８２に記載の非一時的コンピュータ可読媒体。
【請求項９２】
前記１つまたは複数の遅延耐性メッセージのうちの少なくとも１つは、前記計算されたコストメトリックに少なくとも部分的に基づいてキャッシュされたままである、請求項９１に記載の非一時的コンピュータ可読媒体。
【請求項９３】
前記ネットワーク接触までの推定時間は、サポートされているアクセスネットワーク、モビリティパターン、アプリケーショントラフィックダイナミクス、またはそれらの組合せのうちの少なくとも１つに基づく、請求項８２に記載の非一時的コンピュータ可読媒体。
【請求項９４】
前記命令は、
ネットワーク接触までの推定時間を示すメッセージをブロードキャストするように前記プロセッサによってさらに実行可能である、請求項８２に記載の非一時的コンピュータ可読媒体。
【請求項９５】
前記１つまたは複数の遅延耐性メッセージのうちの前記少なくとも１つは、前記ネットワークに転送される、請求項８２に記載の非一時的コンピュータ可読媒体。
【請求項９６】
ワイヤレス通信のためのコードを記憶する非一時的コンピュータ可読媒体であって、前記コードは、
ワイヤレスデバイスから、ネットワークに転送されるべき１つまたは複数の遅延耐性メッセージを前記ワイヤレスデバイスが有することを示すリクエストを送ることと、
対応する１つまたは複数のワイヤレス中継デバイスから１つまたは複数の応答メッセージを受信することと、前記１つまたは複数の応答メッセージは各々、対応するワイヤレス中継デバイスについてのネットワーク接触までの推定時間を示す、
前記ネットワークに転送されるよう前記１つまたは複数の遅延耐性メッセージが送られ得る先の前記１つまたは複数のワイヤレス中継デバイスのうちの少なくとも１つを決定するために、前記１つまたは複数の応答メッセージを評価することと、
前記１つまたは複数の遅延耐性メッセージを前記１つまたは複数のワイヤレス中継デバイスのうちの前記少なくとも１つに送信することと、
を行うようにプロセッサによって実行可能な命令を備える非一時的コンピュータ可読媒体。
【請求項９７】
前記リクエストを送るように実行可能な前記命令は、
前記リクエストに、いつ前記１つまたは複数の遅延耐性メッセージが前記ネットワークに転送されることになるかについての遅延耐性または期限を含めるように実行可能な命令を備える、請求項９６に記載の非一時的コンピュータ可読媒体。
【請求項９８】
前記１つまたは複数の応答メッセージはコストメトリックをさらに備え、前記コストメトリックは、金銭的コスト、ワイヤレス中継デバイスリソース使用量、チャネル品質、またはワイヤレス中継デバイスが有する前記ネットワークとの既存の接続のうちの少なくとも１つに基づく、請求項９６に記載の非一時的コンピュータ可読媒体。
【請求項９９】
前記ネットワーク接触までの推定時間は、サポートされているアクセスネットワーク、モビリティパターン、アプリケーショントラフィックダイナミクス、またはそれらの組合せのうちの少なくとも１つに基づく、請求項９６に記載の非一時的コンピュータ可読媒体。
【請求項１００】
前記１つまたは複数の応答メッセージは、前記１つまたは複数のワイヤレス中継デバイスから受信された１つまたは複数のブロードキャストメッセージを備える、請求項９６に記載の非一時的コンピュータ可読媒体。
【請求項１０１】
前記１つまたは複数の応答メッセージを評価するように実行可能な前記命令は、
前記１つまたは複数の応答メッセージが遅延耐性内または期限前に前記ネットワークに転送される確率を決定するように実行可能な命令を備える、請求項９６に記載の非一時的コンピュータ可読媒体。
【請求項１０２】
前記リクエストを送るように実行可能な前記命令は、
Ｂｌｕｅｔｏｏｔｈ低エネルギー（ＢＬＥ）、ＷｉＦｉ  Ａｗａｒｅ、ロングタームエボリューション（ＬＴＥ）Ｄｉｒｅｃｔ、またはＬＴＥ近接サービスのうちの１つである送信プロトコルを使用するように実行可能な命令を備える、請求項９６に記載の非一時的コンピュータ可読媒体。
【請求項１０３】
ワイヤレス通信のためのコードを記憶する非一時的コンピュータ可読媒体であって、前記コードは、
ワイヤレスデバイスから、ネットワークに転送されるべき１つまたは複数の遅延耐性メッセージを前記ワイヤレスデバイスが有することを示すリクエストを送ることと、前記リクエストは、いつ前記１つまたは複数の遅延耐性メッセージが前記ネットワークに転送されることになるかについての遅延耐性または期限を含む、
対応する１つまたは複数のワイヤレス中継デバイスから１つまたは複数の応答メッセージを受信することと、
前記１つまたは複数の遅延耐性メッセージを前記１つまたは複数のワイヤレス中継デバイスのうちの前記少なくとも１つに送信することと、
を行うようにプロセッサによって実行可能な命令を備える非一時的コンピュータ可読媒体。
【請求項１０４】
前記命令は、
前記ネットワークに転送されるよう前記１つまたは複数の遅延耐性メッセージが送られ得る先の前記１つまたは複数のワイヤレス中継デバイスのうちの少なくとも１つを決定するために、前記１つまたは複数の応答メッセージを評価するように前記プロセッサによってさらに実行可能であり、前記１つまたは複数の応答メッセージは、１つまたは複数の評価パラメータを含む、請求項１０３に記載の非一時的コンピュータ可読媒体。
【請求項１０５】
前記１つまたは複数の評価パラメータはコストメトリックを含み、前記コストメトリックは、金銭的コスト、ワイヤレス中継デバイスリソース使用量、チャネル品質、またはワイヤレス中継デバイスが有する前記ネットワークとの既存の接続のうちの少なくとも１つに基づく、請求項１０４に記載の非一時的コンピュータ可読媒体。
【請求項１０６】
前記１つまたは複数の評価パラメータは、前記対応するワイヤレス中継デバイスについてのネットワーク接触までの推定時間を含み、前記ネットワーク接触までの推定時間は、サポートされているアクセスネットワーク、モビリティパターン、アプリケーショントラフィックダイナミクス、またはそれらの組合せのうちの少なくとも１つに基づく、請求項１０４に記載の非一時的コンピュータ可読媒体。
【請求項１０７】
前記１つまたは複数の応答メッセージを評価するように実行可能な前記命令は、
前記遅延耐性内または前記期限前に前記ネットワークに転送される確率を決定するように実行可能な命令を備える、請求項１０４に記載の非一時的コンピュータ可読媒体。
【請求項１０８】
前記リクエストを送るように実行可能な前記命令は、
Ｂｌｕｅｔｏｏｔｈ低エネルギー（ＢＬＥ）、ＷｉＦｉ  Ａｗａｒｅ、ロングタームエボリューション（ＬＴＥ）Ｄｉｒｅｃｔ、またはＬＴＥ近接サービスのうちの１つである送信プロトコルを使用するように実行可能な命令を備える、請求項１０３に記載の非一時的コンピュータ可読媒体。
【発明の詳細な説明】
【関連出願】
【０００１】
[0001]  本特許出願は、本明細書の譲受人に譲渡される、２０１６年７月１８日付で出願された、「Forwarding Node Selection and Routing for Delay-Tolerant Messages」という題名の、Ｐａｒｋ他による米国特許出願第１５／２１２，５９０号に基づく優先権を主張する。
【背景技術】
【０００２】
[0002]  下記は、一般にワイヤレス通信に関し、より具体的には、遅延耐性(delay-tolerant)メッセージについてのノードの選択およびルーティングに関する。
【０００３】
[0003]  ワイヤレス通信システムは、音声、ビデオ、パケットデータ、メッセージング、ブロードキャスト等のような様々なタイプの通信コンテンツを提供するために広く展開されている。これらのシステムは、利用可能なシステムリソース（例えば時間、周波数、および電力）を共有することによって、複数のユーザとの通信をサポートすることが可能であり得る。そうした多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム、（例えば、ロングタームエボリューション（ＬＴＥ（登録商標））システム）を含む。ワイヤレス多元接続通信システムは、いくつかの基地局を含み得、その各々が、ユーザ機器（ＵＥ）と本明細書では称され得る複数の通信デバイスのための通信を同時にサポートする。基地局は、ダウンリンクチャネル（例えば基地局からＵＥへの送信のため）およびアップリンクチャネル（例えばＵＥから基地局への送信のため）上で、ＵＥと通信し得る。
【０００４】
[0004]  他のワイヤレスデバイスもまた展開され得、（例えば、そうしたデバイスにハードウェアを装備することに関連付けられたコスト、およびセルラ式通信に関連付けられた加入コストに起因した）限定された利用可能な電力、加えてワイヤレスネットワークに直接接続するための限定された手段も有し得る。これらの他のワイヤレスデバイスは、ウェアラブルデバイス、センサノード、internet-of-things（ＩｏＴ）デバイス等を含み得る。それらの限定された利用可能な電力または通信手段に関わらず、これらの他のデバイスはそれでもなお、理想ではネットワークに送信されるだろうデータを収集し得る。収集されたデータは一般に、量が限定され得、しばしば遅延耐性があり得る。あるシナリオでは、これらの低電力デバイスおよび他のデバイスは、ワイヤレスローカルエリアネットワーク（ＷＬＡＮ）（例えば、Ｗｉ−Ｆｉ）ハードウェアが装備され得る。しかしながら、デバイスは、限定されたＷＬＡＮカバレッジ、変化するＷＬＡＮ構成および設定等に起因したＷＬＡＮ接続問題に悩まされ得る。従って、遅延耐性のあるデータをネットワークに伝達するための他のオプションが望ましい。
【発明の概要】
【０００５】
[0005]  本開示は、遅延耐性メッセージを転送するためのノードの選択およびルーティングをサポートする改善された技法に関する。一般に、説明される技法は、遅延耐性メッセージを受信し、該メッセージを適切なワイヤレスネットワークに転送するための、ユーザ機器（ＵＥ）のようなワイヤレス中継デバイスを提供する。ＵＥは、ネットワークに転送されるべき１つまたは複数の遅延耐性メッセージをワイヤレスデバイス（例えばinternet-of-things（ＩｏＴ）デバイス）が有することを示すリクエストを受信し得る。ＵＥは、ネットワーク接触までの推定時間(Estimated time to network contact)を示し得る応答メッセージ(response message)をワイヤレスデバイスに送り得る。ＵＥから受信されたインジケーションに基づいて、ワイヤレスデバイスは、遅延耐性メッセージをネットワークに転送するのに該ＵＥが好ましい候補であるかどうかを決定し得る。ＵＥが好ましい候補である場合、ワイヤレスデバイスは、ネットワークに転送するための遅延耐性メッセージを該ＵＥに送信し得る。ＵＥは、ある時間期間の間、受信された遅延耐性メッセージをキャッシュし得る。ＵＥがネットワークにアタッチすると、ＵＥは、遅延耐性メッセージをネットワークに転送し得る。
【０００６】
[0006]  説明される技法はまた、ネットワークに転送されるべき遅延耐性メッセージをワイヤレスデバイスが有することを示すリクエストを該ワイヤレスデバイスが送る方法も含む。リクエストは、いつメッセージがネットワークに転送されることになるかについての遅延耐性(delay tolerance)または期限(deadline)を含み得る。１つまたは複数のＵＥはリクエストを受信し得、受信された遅延耐性または期限に従って、それらがメッセージを転送できるかどうかを応答し得る。ワイヤレスデバイスはその後、１つまたは複数のＵＥから応答メッセージを受信し得る。いくつかのケースでは、応答メッセージはまた、ネットワーク接触までの推定時間も示し得る。これらのメッセージは、ワイヤレスデバイスによって、該デバイスが遅延耐性メッセージを転送し得る先のＵＥを決定するために評価され得る。ワイヤレスデバイスはその後、遅延耐性メッセージを識別されたＵＥに送信し得、該識別されたＵＥはその後、該メッセージをネットワークに転送し得る。ＵＥは、直接的にまたは他のＵＥを介して、メッセージをネットワークに転送し得る。
【０００７】
[0007]  ワイヤレス通信の方法が説明される。方法は、第１のワイヤレス中継デバイスで、ネットワークに転送されるべき１つまたは複数の遅延耐性メッセージをワイヤレスデバイスが有することを示すリクエストを受信することと、ネットワーク接触までの推定時間を示す応答メッセージをワイヤレスデバイスに送ることと、転送されるべき１つまたは複数の遅延耐性メッセージを受信およびキャッシュすることと、１つまたは複数の遅延耐性メッセージのうちの少なくとも１つを転送することと、を含み得る。
【０００８】
[0008]  ワイヤレス通信のための装置が説明される。装置は、第１のワイヤレス中継デバイスで、ネットワークに転送されるべき１つまたは複数の遅延耐性メッセージをワイヤレスデバイスが有することを示すリクエストを受信するための手段と、ネットワーク接触までの推定時間を示す応答メッセージをワイヤレスデバイスに送るための手段と、転送されるべき１つまたは複数の遅延耐性メッセージを受信およびキャッシュするための手段と、１つまたは複数の遅延耐性メッセージのうちの少なくとも１つを転送するための手段と、を含み得る。
【０００９】
[0009]  ワイヤレス通信のための別の装置が説明される。装置は、プロセッサと、該プロセッサと電子通信するメモリと、該メモリに記憶された命令と、を含み得る。命令は、プロセッサに、第１のワイヤレス中継デバイスで、ネットワークに転送されるべき１つまたは複数の遅延耐性メッセージをワイヤレスデバイスが有することを示すリクエストを受信することと、ネットワーク接触までの推定時間を示す応答メッセージをワイヤレスデバイスに送ることと、転送されるべき１つまたは複数の遅延耐性メッセージを受信およびキャッシュすることと、１つまたは複数の遅延耐性メッセージのうちの少なくとも１つを転送することと、を行わせるように動作可能であり得る。
【００１０】
[0010]  ワイヤレス通信のための非一時的コンピュータ可読媒体が説明される。非一時的コンピュータ可読媒体は、プロセッサに、第１のワイヤレス中継デバイスで、ネットワークに転送されるべき１つまたは複数の遅延耐性メッセージをワイヤレスデバイスが有することを示すリクエストを受信することと、ネットワーク接触までの推定時間を示す応答メッセージをワイヤレスデバイスに送ることと、転送されるべき１つまたは複数の遅延耐性メッセージを受信およびキャッシュすることと、１つまたは複数の遅延耐性メッセージのうちの少なくとも１つを転送することと、を行わせるように動作可能な命令を含み得る。
【００１１】
[0011]  上で説明された方法、装置、および非一時的コンピュータ可読媒体のいくつかの例はさらに、第２のワイヤレス中継デバイスから、少なくとも該第２のワイヤレス中継デバイスについてのネットワーク接触までの推定時間を示すメッセージを受信するためのプロセス、特徴、手段、または命令を含み得る。上で説明された方法、装置、および非一時的コンピュータ可読媒体のいくつかの例はさらに、１つまたは複数の遅延耐性メッセージのうちの少なくとも１つを第２のワイヤレス中継デバイスに転送するためのプロセス、特徴、手段、または命令を含み得る。
【００１２】
[0012]  上で説明された方法、装置、および非一時的コンピュータ可読媒体のいくつかの例はさらに、第２のワイヤレス中継デバイスからコストメトリック(cost metric)を受信するためのプロセス、特徴、手段、または命令を含み得、１つまたは複数の遅延耐性メッセージのうちの少なくとも１つを転送することは、受信されたコストメトリックに少なくとも部分的に基づき得る。
【００１３】
[0013]  上で説明された方法、装置、および非一時的コンピュータ可読媒体のいくつかの例では、応答メッセージをワイヤレスデバイスに送ることは、ネットワーク接触までの推定時間を応答メッセージに含めることを備える。
【００１４】
[0014]  上で説明された方法、装置、および非一時的コンピュータ可読媒体のいくつかの例では、リクエストは、いつ１つまたは複数の遅延耐性メッセージがネットワークに送られることになり得るかについての遅延耐性または期限を備える。
【００１５】
[0015]  上で説明された方法、装置、および非一時的コンピュータ可読媒体のいくつかの例では、応答メッセージをワイヤレスデバイスに送ることは、ネットワーク接触までの推定時間を遅延耐性または期限と比較することを備える。上で説明された方法、装置、および非一時的コンピュータ可読媒体のいくつかの例はさらに、該比較に基づいて応答メッセージをワイヤレスデバイスに送るためのプロセス、特徴、手段、または命令を含み得る。
【００１６】
[0016]  上で説明された方法、装置、および非一時的コンピュータ可読媒体のいくつかの例はさらに、遅延耐性メッセージのうちの１つまたは複数が、遅延耐性内または期限内に転送されないことに少なくとも部分的に基づいて該遅延耐性メッセージのうちの該１つまたは複数を消去するためのプロセス、特徴、手段、または命令を含み得る。
【００１７】
[0017]  上で説明された方法、装置、および非一時的コンピュータ可読媒体のいくつかの例はさらに、第１のワイヤレス中継デバイスによって、少なくとも１つの無線アクセス技術（ＲＡＴ：radio access technology）を介したネットワークとの接触の履歴(history of contact)を使用して、次に該第１のワイヤレス中継デバイスが該少なくとも１つのＲＡＴについてのネットワーク接触を行うように予期され得るときを示すネットワーク接触までの推定時間を決定するためのプロセス、特徴、手段、または命令を含み得る。
【００１８】
[0018]  上で説明された方法、装置、および非一時的コンピュータ可読媒体のいくつかの例はさらに、第１のワイヤレス中継デバイスが使用することが可能であり得るそれぞれのＲＡＴごとに決定されたネットワーク接触までの推定時間を維持するためのプロセス、特徴、手段、または命令を含み得る。
【００１９】
[0019]  上で説明された方法、装置、および非一時的コンピュータ可読媒体のいくつかの例はさらに、少なくとも１つのＲＡＴについてのコストメトリックを計算するためのプロセス、特徴、手段、または命令を含み得、該コストメトリックは、金銭的コスト、ワイヤレス中継デバイスリソース使用量（usage）、チャネル品質、または第１のワイヤレス中継デバイスが有し得るネットワークとの既存の接続のうちの少なくとも１つに基づき得る。上で説明された方法、装置、および非一時的コンピュータ可読媒体のいくつかの例はさらに、計算されたコストメトリックをワイヤレスデバイスに送信するためのプロセス、特徴、手段、または命令を含み得る。
【００２０】
[0020]  上で説明された方法、装置、および非一時的コンピュータ可読媒体のいくつかの例では、１つまたは複数の遅延耐性メッセージのうちの少なくとも１つが、計算されたコストメトリックに少なくとも部分的に基づいてキャッシュされたままである。
【００２１】
[0021]  上で説明された方法、装置、および非一時的コンピュータ可読媒体のいくつかの例では、ネットワーク接触までの推定時間は、サポートされているアクセスネットワーク、モビリティパターン、アプリケーショントラフィックダイナミクス、またはそれらの組合せのうちの少なくとも１つに基づき得る。
【００２２】
[0022]  上で説明された方法、装置、および非一時的コンピュータ可読媒体のいくつかの例はさらに、ネットワーク接触までの推定時間を示すメッセージをブロードキャストするためのプロセス、特徴、手段、または命令を含み得る。
【００２３】
[0023]  上で説明された方法、装置、および非一時的コンピュータ可読媒体のいくつかの例では、１つまたは複数の遅延耐性メッセージのうちの少なくとも１つは、ネットワークに転送され得る。
【００２４】
[0024]  ワイヤレス通信の方法が説明される。方法は、ワイヤレスデバイスから、ネットワークに転送されるべき１つまたは複数の遅延耐性メッセージを該ワイヤレスデバイスが有することを示すリクエストを送ることと、対応する１つまたは複数のワイヤレス中継デバイスから１つまたは複数の応答メッセージを受信することであって、該１つまたは複数の応答メッセージは各々、対応するワイヤレス中継デバイスについてのネットワーク接触までの推定時間を示す、受信することと、ネットワークに転送されるよう１つまたは複数の遅延耐性メッセージが送られ得る先の１つまたは複数のワイヤレス中継デバイスのうちの少なくとも１つを決定するために、１つまたは複数の応答メッセージを評価することと、１つまたは複数の遅延耐性メッセージを１つまたは複数のワイヤレス中継デバイスのうちの少なくとも１つに送信することと、を含み得る。
【００２５】
[0025]  ワイヤレス通信のための装置が説明される。装置は、ワイヤレスデバイスから、ネットワークに転送されるべき１つまたは複数の遅延耐性メッセージを該ワイヤレスデバイスが有することを示すリクエストを送るための手段と、対応する１つまたは複数のワイヤレス中継デバイスから１つまたは複数の応答メッセージを受信するための手段であって、該１つまたは複数の応答メッセージは各々、対応するワイヤレス中継デバイスについてのネットワーク接触までの推定時間を示す、受信するための手段と、ネットワークに転送されるよう１つまたは複数の遅延耐性メッセージが送られ得る先の１つまたは複数のワイヤレス中継デバイスのうちの少なくとも１つを決定するために、１つまたは複数の応答メッセージを評価するための手段と、１つまたは複数の遅延耐性メッセージを１つまたは複数のワイヤレス中継デバイスのうちの少なくとも１つに送信するための手段と、を含み得る。
【００２６】
[0026]  ワイヤレス通信のための別の装置が説明される。装置は、プロセッサと、該プロセッサと電子通信するメモリと、該メモリに記憶された命令と、を含み得る。命令は、プロセッサに、ワイヤレスデバイスから、ネットワークに転送されるべき１つまたは複数の遅延耐性メッセージを該ワイヤレスデバイスが有することを示すリクエストを送ることと、対応する１つまたは複数のワイヤレス中継デバイスから１つまたは複数の応答メッセージを受信することであって、該１つまたは複数の応答メッセージは各々、対応するワイヤレス中継デバイスについてのネットワーク接触までの推定時間を示す、受信することと、ネットワークに転送されるよう１つまたは複数の遅延耐性メッセージが送られ得る先の１つまたは複数のワイヤレス中継デバイスのうちの少なくとも１つを決定するために、１つまたは複数の応答メッセージを評価することと、１つまたは複数の遅延耐性メッセージを１つまたは複数のワイヤレス中継デバイスのうちの少なくとも１つに送信することと、を行わせるように動作可能であり得る。
【００２７】
[0027]  ワイヤレス通信のための非一時的コンピュータ可読媒体が説明される。非一時的コンピュータ可読媒体は、プロセッサに、ワイヤレスデバイスから、ネットワークに転送されるべき１つまたは複数の遅延耐性メッセージを該ワイヤレスデバイスが有することを示すリクエストを送ることと、対応する１つまたは複数のワイヤレス中継デバイスから１つまたは複数の応答メッセージを受信することであって、該１つまたは複数の応答メッセージは各々、対応するワイヤレス中継デバイスについてのネットワーク接触までの推定時間を示す、受信することと、ネットワークに転送されるよう１つまたは複数の遅延耐性メッセージが送られ得る先の１つまたは複数のワイヤレス中継デバイスのうちの少なくとも１つを決定するために、１つまたは複数の応答メッセージを評価することと、１つまたは複数の遅延耐性メッセージを１つまたは複数のワイヤレス中継デバイスのうちの少なくとも１つに送信することと、を行わせるように動作可能な命令を含み得る。
【００２８】
[0028]  上で説明された方法、装置、および非一時的コンピュータ可読媒体のいくつかの例では、リクエストを送ることは、該リクエストに、いつ１つまたは複数の遅延耐性メッセージがネットワークに送られることになり得るかについての遅延耐性または期限を含めることを備える。
【００２９】
[0029]  上で説明された方法、装置、および非一時的コンピュータ可読媒体のいくつかの例では、１つまたは複数の応答メッセージはコストメトリックをさらに備え得、該コストメトリックは、金銭的コスト、ワイヤレス中継デバイスリソース使用量、チャネル品質、またはワイヤレス中継デバイスが有し得るネットワークとの既存の接続のうちの少なくとも１つに基づき得る。
【００３０】
[0030]  上で説明された方法、装置、および非一時的コンピュータ可読媒体のいくつかの例では、ネットワーク接触までの推定時間は、サポートされているアクセスネットワーク、モビリティパターン、アプリケーショントラフィックダイナミクス、またはそれらの組合せのうちの少なくとも１つに基づき得る。
【００３１】
[0031]  上で説明された方法、装置、および非一時的コンピュータ可読媒体のいくつかの例では、１つまたは複数の応答メッセージは、１つまたは複数のワイヤレス中継デバイスから受信される１つまたは複数のブロードキャストメッセージを備える。
【００３２】
[0032]  上で説明された方法、装置、および非一時的コンピュータ可読媒体のいくつかの例では、１つまたは複数の応答メッセージを評価することはさらに、１つまたは複数の遅延耐性メッセージが、遅延耐性内または期限前にネットワークに転送される確率を決定することを備える。
【００３３】
[0033]  上で説明された方法、装置、および非一時的コンピュータ可読媒体のいくつかの例では、リクエストを送ることは、Ｂｌｕｅｔｏｏｔｈ（登録商標）低エネルギー（ＢＬＥ）、ＷｉＦｉ  Ａｗａｒｅ、ロングタームエボリューション（ＬＴＥ）Ｄｉｒｅｃｔ、またはＬＴＥ近接サービスのうちの１つであり得る送信プロトコルを使用することを備える。
【００３４】
[0034]  ワイヤレス通信の方法が説明される。方法は、ワイヤレスデバイスから、ネットワークに転送されるべき１つまたは複数の遅延耐性メッセージを該ワイヤレスデバイスが有することを示すリクエストを送ることであって、該リクエストは、いつ１つまたは複数の遅延耐性メッセージがネットワークに転送されることになるかについての遅延耐性または期限を含む、送ることと、対応する１つまたは複数のワイヤレス中継デバイスから１つまたは複数の応答メッセージを受信することと、１つまたは複数の遅延耐性メッセージを１つまたは複数のワイヤレス中継デバイスのうちの少なくとも１つに送信することと、を含み得る。
【００３５】
[0035]  ワイヤレス通信のための装置が説明される。装置は、ワイヤレスデバイスから、ネットワークに転送されるべき１つまたは複数の遅延耐性メッセージを該ワイヤレスデバイスが有することを示すリクエストを送るための手段であって、該リクエストは、いつ１つまたは複数の遅延耐性メッセージがネットワークに転送されることになるかについての遅延耐性または期限を含む、送るための手段と、対応する１つまたは複数のワイヤレス中継デバイスから１つまたは複数の応答メッセージを受信するための手段と、１つまたは複数の遅延耐性メッセージを１つまたは複数のワイヤレス中継デバイスのうちの少なくとも１つに送信するための手段と、を含み得る。
【００３６】
[0036]  ワイヤレス通信のための別の装置が説明される。装置は、プロセッサと、該プロセッサと電子通信するメモリと、該メモリに記憶された命令と、を含み得る。命令は、プロセッサに、ワイヤレスデバイスから、ネットワークに転送されるべき１つまたは複数の遅延耐性メッセージを該ワイヤレスデバイスが有することを示すリクエストを送ることであって、該リクエストは、いつ１つまたは複数の遅延耐性メッセージがネットワークに転送されることになるかについての遅延耐性または期限を含む、送ることと、対応する１つまたは複数のワイヤレス中継デバイスから１つまたは複数の応答メッセージを受信することと、１つまたは複数の遅延耐性メッセージを１つまたは複数のワイヤレス中継デバイスのうちの少なくとも１つに送信することと、を行わせるように動作可能であり得る。
【００３７】
[0037]  ワイヤレス通信のための非一時的コンピュータ可読媒体が説明される。非一時的コンピュータ可読媒体は、プロセッサに、ワイヤレスデバイスから、ネットワークに転送されるべき１つまたは複数の遅延耐性メッセージを該ワイヤレスデバイスが有することを示すリクエストを送ることであって、該リクエストは、いつ１つまたは複数の遅延耐性メッセージがネットワークに転送されることになるかについての遅延耐性または期限を含む、送ることと、対応する１つまたは複数のワイヤレス中継デバイスから１つまたは複数の応答メッセージを受信することと、１つまたは複数の遅延耐性メッセージを１つまたは複数のワイヤレス中継デバイスのうちの少なくとも１つに送信することと、を行わせるように動作可能な命令を含み得る。
【００３８】
[0038]  上で説明された方法、装置、および非一時的コンピュータ可読媒体のいくつかの例はさらに、ネットワークに転送されるよう１つまたは複数の遅延耐性メッセージが送られ得る先の１つまたは複数のワイヤレス中継デバイスのうちの少なくとも１つを決定するために、１つまたは複数の応答メッセージを評価するためのプロセス、特徴、手段、または命令を含み得、１つまたは複数の応答メッセージは、１つまたは複数の評価パラメータ(evaluation parameters)を含む。
【００３９】
[0039]  上で説明された方法、装置、および非一時的コンピュータ可読媒体のいくつかの例では、１つまたは複数の評価パラメータはコストメトリックを含み得、該コストメトリックは、金銭的コスト、ワイヤレス中継デバイスリソース使用量、チャネル品質、またはワイヤレス中継デバイスが有し得るネットワークとの既存の接続のうちの少なくとも１つに基づき得る。
【００４０】
[0040]  上で説明された方法、装置、および非一時的コンピュータ可読媒体のいくつかの例では、１つまたは複数の評価パラメータは、対応するワイヤレス中継デバイスについてのネットワーク接触までの推定時間を含み、該ネットワーク接触までの推定時間は、サポートされているアクセスネットワーク、モビリティパターン、アプリケーショントラフィックダイナミクス、またはそれらの組合せのうちの少なくとも１つに基づき得る。
【００４１】
[0041]  上で説明された方法、装置、および非一時的コンピュータ可読媒体のいくつかの例では、１つまたは複数の応答メッセージを評価することはさらに、１つまたは複数の遅延耐性メッセージが、遅延耐性内または期限前にネットワークに転送される確率を決定することを備える。
【００４２】
[0042]  上で説明された方法、装置、および非一時的コンピュータ可読媒体のいくつかの例では、リクエストを送ることは、Ｂｌｕｅｔｏｏｔｈ低エネルギー（ＢＬＥ）、ＷｉＦｉ  Ａｗａｒｅ、ロングタームエボリューション（ＬＴＥ）Ｄｉｒｅｃｔ、またはＬＴＥ近接サービスのうちの１つであり得る送信プロトコルを使用することを備える。
【００４３】
[0043]  上記は、下記に続く細な説明がより良く理解され得るように、本開示に従った例の特徴および技術的利点を、ある程度広く概説している。追加の特徴および利点が以下で説明される。開示される概念および具体的な例は、本開示と同じ目的を実行するために他の構造を修正または設計するための基礎として容易に利用され得る。そうした同等の構造は、添付の請求項の範囲から逸脱しない。本明細書で開示される概念の特性は、それらの構成（organization）とオペレーションの方法との両方とも、関連付けられた利点とともに、添付の図と併せて考えられるときに以下の説明からより良く理解されるだろう。図の各々は、例示および説明の目的でのみ提供され、請求項の限定の定義としては提供されない。
【図面の簡単な説明】
【００４４】
【図１】本開示の様々な態様に従う、ワイヤレス通信システムのブロック図を示す。
【図２Ａ】本開示の様々な態様に従う、遅延耐性トラフィックをネットワークに転送するためのワイヤレス通信システムの例を示す。
【図２Ｂ】本開示の様々な態様に従う、遅延耐性トラフィックをネットワークに転送するためのワイヤレス通信システムの例を示す。
【図３Ａ】本開示の様々な態様に従う、遅延耐性トラフィックをネットワークに転送するためのプロセスフローを示す。
【図３Ｂ】本開示の様々な態様に従う、遅延耐性トラフィックをネットワークに転送するためのプロセスフローの例を示す。
【図４】本開示の様々な態様に従う、ワイヤレス通信における使用のために構成されたデバイスのブロック図を示す。
【図５】本開示の様々な態様に従う、ワイヤレス通信における使用のために構成されたデバイスのブロック図を示す。
【図６】本開示の様々な態様に従う、ワイヤレス通信における使用のために構成されたデバイスのブロック図を示す。
【図７】本開示の様々な態様に従う、ワイヤレス通信システムのブロック図を示す。
【図８】本開示の様々な態様に従う、ワイヤレス通信のための方法の例を例示するフローチャートである。
【図９】本開示の様々な態様に従う、ワイヤレス通信のための方法の例を例示するフローチャートである。
【図１０】本開示の様々な態様に従う、ワイヤレス通信のための方法の例を例示するフローチャートである。
【図１１】本開示の様々な態様に従う、ワイヤレス通信のための方法の例を例示するフローチャートである。
【詳細な説明】
【００４５】
[0050]  ある特定のワイヤレスデバイスは、全ての利用可能なエアインターフェースを介した通信のためには装備されないことがある。例えば、ロングタームエボリューション（ＬＴＥ）／ＬＴＥアドバンスド（ＬＴＥ−Ａ）ネットワークのようなセルラ式エアインターフェースに関連付けられたコストおよび／または複雑性は、センサデバイス、ウェアラブルデバイス、internet-of-things（ＩｏＴ）デバイス等には不適切であり得る。ワイヤレスローカルエリアネットワーク（ＷＬＡＮ）は、少なくとも加入の観点からはいくらかコストが低くあり得る一方で、これらのＷｉ−Ｆｉネットワークは通常、ソースデバイスへの近接を要求し、および／または複雑な関連オーバーヘッドを含み得る。これらのソースデバイスのいくつかは、Ｂｌｕｅｔｏｏｔｈ低エネルギー（ＢＬＥ）、ＷｉＦｉ  Ａｗａｒｅ、ＬＴＥ  Ｄｉｒｅｃｔ、またはＬＴＥ近接サービスといった送信プロトコルを利用し得る。
【００４６】
[0051]  ソースデバイスは、環境測定、構造ヘルスモニタリング、スマートシティアプリケーション、ヘルスまたは位置追跡アプリケーション、様々な電気デバイスの使用量モニタリング等をサポートし得る。しかしながら、コスト、複雑性、および他の課題に起因して、これらのソースデバイスは通常、様々なサービス、例えば中継サービス、同時接続サービス、ローカル接続サービス等を提供するために、近くのユーザ機器（ＵＥ）のような他のスマートデバイスに依存する。近くのＵＥを使用することによって、ソースデバイスは、収集されたデータを該ＵＥのうちの１つまたは複数を介してネットワークに送信できることがある。送信されるデータは通常、デューティサイクルの低い（１時間、１日、または１ヶ月に一度）（いくつかの例では）少量のデータメッセージの形態である。さらに、送信されるデータメッセージは、メッセージの即時搬送が優先にならないように、高レイテンシに関連付けられ得る。
【００４７】
[0052]  メッセージ転送のためのアクセスコストおよびリソース利用を向上させるために、メッセージの遅延耐性の特質が活用され得る。複数のＵＥが、これらのメッセージをネットワークに転送することが可能であり得るが、いくつかのＵＥは他のＵＥよりも適していることがある。例えば、アクセスネットワークの利用可能性、それらそれぞれのアクセス技術、および関連する搬送コストが関係し得る。ＩｏＴデバイスのようなワイヤレスデバイスは、メッセージの緊急度、ＵＥがある特定の時間期間内にメッセージを搬送する確率、メッセージを送信するコスト等といった要因のバランスを取ることによって、そのメッセージを転送するのに最も適切なＵＥを選択し得る。
【００４８】
[0053]  本開示の態様は、最初にワイヤレス通信システムのコンテキストにおいて説明される。本開示の態様は、ＵＥによるＩｏＴデバイスからネットワークまたはクラウドサーバへの遅延耐性データまたはメッセージの転送に関する。転送するのに利用可能な遅延耐性メッセージを有するＩｏＴデバイスは、利用可能なＵＥのネットワーク接触までの推定時間（ＥＴＮＣ：Estimated Time to Network Contact）のようなメトリックを、ネットワークに搬送されるべきメッセージについてのレイテンシ耐性と比較し得る。利用可能なＵＥは、ＵＥによって利用される無線アクセス技術（ＲＡＴ）ごとに別個のＥＴＮＣ値を維持し得る。利用可能なＵＥのＥＴＮＣに加えて、転送用に潜在的なＵＥを選択する際の他の要因は、様々な搬送コストメトリックを含み得る。一度ＵＥが評価されると、ＩｏＴデバイスは、その遅延耐性メッセージを選択されたＵＥに送信し得、今度はＵＥが、該メッセージをネットワークに転送し得る。
【００４９】
[0054]  他の態様では、転送に利用可能な遅延耐性メッセージを有するＩｏＴデバイスは、メッセージのネットワークへの搬送についての遅延耐性または期限のどちらかを含むリクエストをブロードキャストし得る。ブロードキャストされた遅延耐性または期限に従ってメッセージを転送できるＵＥは、ＩｏＴデバイスに応答し得る。ＩｏＴデバイスは、応答するＵＥのうちから、遅延耐性メッセージを転送するべき先のＵＥを選択し得る。ＩｏＴデバイスは、その遅延耐性メッセージを選択されたＵＥに送信し得、今度はＵＥが、該メッセージをネットワークに転送し得る。
【００５０】
[0055]  下記説明は例を提供しており、請求項において述べられる範囲、適用可能性、または例の限定ではない。変更は、本開示の範囲から逸脱することなく、説明される要素の機能および構成において行われ得る。様々な例が、適宜、様々な手順またはコンポーネントを省略、置換、または追加し得る。例えば、説明される方法は、説明されるものとは異なる順序で実行され得、様々なステップが追加、省略、または組み合わされ得る。また、いくつかの例に関して説明される特徴は、他の例において組み合わされ得る。
【００５１】
[0056]  図１は、本開示の様々な態様に従う、ワイヤレス通信システム１００の例を例示する。ワイヤレス通信システム１００は、基地局１０５、ＵＥ１１５、コアネットワーク１３０、およびワイヤレスデバイス１４０を含む。コアネットワーク１３０は、ユーザ認証、アクセス許可、トラッキング、インターネットプロトコル（ＩＰ）接続、および他のアクセス、ルーティング、またはモビリティ機能を提供し得る。基地局１０５は、バックホールリンク１３２（例えばＳ１等）を通じてコアネットワーク１３０とインターフェース接続し、ＵＥ１１５との通信のために無線構成およびスケジューリングを実行し得るか、または基地局コントローラ（図示せず）の制御下でオペレートし得る。様々な例において、基地局１０５は、有線またはワイヤレス通信リンクであり得るバックホールリンク１３４（例えばＸ１等）を介して互いと、直接的または間接的（例えば、コアネットワーク１３０を通じて）のどちらかで通信し得る。
【００５２】
[0057]  基地局１０５は、１つまたは複数の基地局アンテナを介してＵＥ１１５とワイヤレスに通信し得る。基地局１０５サイトの各々が、それぞれの地理的カバレッジエリア１１０に通信カバレッジを提供し得る。いくつかの例では、基地局１０５は、トランシーバ基地局、無線基地局、アクセスポイント、無線トランシーバ、ノードＢ、ｅノードＢ（ｅＮＢ）、ホームノードＢ、ホームｅノードＢ、または何らかの他の適した専門用語で称され得る。基地局１０５のための地理的カバレッジエリア１１０は、カバレッジエリアの一部のみを構成するセクタ（図示せず）に分割され得る。ワイヤレス通信システム１００は、異なるタイプの基地局１０５（例えば、マクロおよび／またはスモールセル基地局）を含み得る。異なる技術のために重複する地理的カバレッジエリア１１０が存在し得る。
【００５３】
[0058]  いくつかの例では、ワイヤレス通信システム１００は、ＬＴＥ／ＬＴＥ−Ａネットワークである。いくつかの例では、ワイヤレス通信システム１００は、モバイル通信のためのミリ波（ｍｍＷ）システムのような高周波数通信システムを特徴とする第５世代（５Ｇ）エコシステムであり得る。ＬＴＥ／ＬＴＥ−Ａネットワークでは、発展型ノードＢ（ｅＮＢ）という用語が一般に、基地局１０５を説明するために使用され得る一方で、ＵＥという用語は一般に、ＵＥ１１５を説明するために使用され得る。ワイヤレス通信システム１００は、異なるタイプのｅＮＢが様々な地理的領域にカバレッジを提供する異種ＬＴＥ／ＬＴＥ−Ａネットワークであり得る。例えば、各ｅＮＢまたは基地局１０５は、マクロセル、スモールセル、および／または他のタイプのセルに通信カバレッジを提供し得る。「セル」という用語は、コンテキストに応じて、基地局、基地局に関連付けられたキャリアもしくはコンポーネントキャリア、またはキャリアもしくは基地局のカバレッジエリア（例えばセクタ等）を説明するために使用され得る３ＧＰＰ（登録商標）用語である。
【００５４】
[0059]  マクロセルは一般に、比較的広い地理的エリア（例えば、半径数キロメートル）をカバーし、ネットワークプロバイダにサービス加入したＵＥによる無制限アクセスを可能にし得る。スモールセルは、マクロセルと同じまたは異なる（例えば、ライセンス、アンライセンス等）周波数帯域でオペレートし得る、マクロセルと比較するとより低い電力の基地局である。スモールセルは、様々な例に従って、ピコセル、フェムトセル、およびマイクロセルを含み得る。ピコセルは、相対的により小さい地理的エリアをカバーし得、ネットワークプロバイダにサービス加入したＵＥによる無制限アクセスを可能にし得る。フェムトセルもまた、相対的に小さい地理的エリア（例えば住居）をカバーし得、フェムトセルとのアソシエーションを有するＵＥ（例えば、クローズド加入者グループ（ＣＳＧ）中のＵＥ、住居にいるユーザのためのＵＥ等）による制限付きアクセスを提供し得る。マクロセルのためのｅＮＢはマクロｅＮＢと称され得る。スモールセルのためのｅＮＢは、スモールセルｅＮＢ、ピコｅＮＢ、フェムトｅＮＢ、またはホームｅＮＢと称され得る。ｅＮＢは、１つまたは複数（例えば、２つ、３つ、４つ等）のセル（例えばコンポーネントキャリア）をサポートし得る。
【００５５】
[0060]  ワイヤレス通信システム１００は、同期または非同期オペレーションをサポートし得る。同期オペレーションでは、基地局が同様のフレームタイミングを有し得、異なる基地局からの送信が時間的に近似に整列され得る。非同期オペレーションでは、基地局は異なるフレームタイミングを有し得、異なる基地局からの送信が時間的に整列されないことがある。本明細書で説明される技法は、同期または非同期のどちらかのオペレーションのために使用され得る。
【００５６】
[0061]  ＵＥ１１５はワイヤレス通信システム１００全体にわたって分布し、各ＵＥ１１５は固定式または移動式であり得る。ＵＥ１１５はまた、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の適した専門用語を含み得るか、またはそのように当業者によって称され得る。ＵＥ１１５は、セルラ式電話、携帯情報端末（ＰＤＡ）、ワイヤレスモデム、ワイヤレス通信デバイス、ハンドヘルドデバイス、タブレットコンピュータ、ラップトップコンピュータ、コードレス電話、ワイヤレスローカルループ（ＷＬＬ）局、または同様のものであり得る。ＵＥは、マクロｅＮＢ、スモールセルｅＮＢ、リレー基地局等を含む様々なタイプの基地局およびネットワーク機器と通信できることがある。ＵＥ１１５は、送信１２５を介して基地局１０５と通信し得る。送信１２５は、ライセンススペクトルプロトコル（例えば、３Ｇ、４Ｇ（ＬＴＥ）、５Ｇ等）、またはアンライセンススペクトルプロトコル（例えば、ＷｉＦｉ、Ｂｌｕｅｔｏｏｔｈ等）を利用し得る。
【００５７】
[0062]  ワイヤレス通信１００は、様々なエアインターフェースを使用する通信をサポートする異種ワイヤレスネットワークであり得る。いくつかの態様では、サポートされているエアインターフェースは、ワイヤレス通信に利用可能であるエアインターフェースのセットであり得る。各エアインターフェースは、セルラ式ＲＡＴ、Ｗｉ−Ｆｉ  ＲＡＴ、Ｂｌｕｅｔｏｏｔｈ（ＢＴ）  ＲＡＴ、ＺｉｇＢｅｅ  ＲＡＴ等といった異なる無線アクセス技術（ＲＡＴ）に関連付けられ得る。加えてまたは代替的に、各エアインターフェースは、異なるワイヤレスネットワークオペレータ、異なる地上波公共移動通信ネットワーク（ＰＬＭＮ：public land mobile network）等に関連付けられ得る。加えてまたは代替的に、各エアインターフェースは、ライセンス無線周波数スペクトル帯域および／またはアンライセンス無線周波数スペクトル帯域に関連付けられ得る。ＵＥ１１５は、様々な異なるエアインターフェース、例えばセルラ式、Ｗｉ−Ｆｉ、ＢＴ等における通信をサポートし得る。
【００５８】
[0063]  ある特定の態様では、ワイヤレス通信システム１００は、遅延耐性メッセージを転送することをサポートし得る。例えばＵＥ１１５は、遅延耐性メッセージをネットワークに転送するために、（ＩｏＴデバイスのような）ワイヤレスデバイスから送信１３５を介してリクエストを受信し得る。これらのワイヤレスデバイスの例は、ワイヤレスデバイス１４０を含み得る。ワイヤレスデバイス１４０は、車両上、住宅内、または駐車メータ中のセンサを含み得る。リクエストは、いつワイヤレスデバイスからの１つまたは複数のメッセージがネットワークに転送されることになるかについての遅延耐性または期限のインジケーションを含み得る。ＵＥ１１５は、応答メッセージを、中継リンク１３５を介してワイヤレスデバイスに送り得る。中継リンク１３５は、アンライセンススペクトルプロトコル（例えば、ＷｉＦｉ、Ｂｌｕｅｔｏｏｔｈ、Ｂｌｕｅｔｏｏｔｈ低エネルギー（ＢＬＥ）、Ｚｉｇｂｅｅ（登録商標）、８０２．１５．４．等）を利用し得るか、またはそれは、ライセンススペクトルプロトコル（例えば、ＬＴＥ−Ｄ、ＬＴＥ−ＮＢ−ＩｏＴ、５Ｇ等）を利用し得る。いくつかの事例では、ＵＥ１１５は、ＥＴＮＣのインジケーションを応答メッセージに含め得る。ＵＥ１１５はまた、応答メッセージに、遅延耐性メッセージをネットワークに転送するためのコストメトリックを含め得る。この情報を使用して、ワイヤレスデバイスは、該ワイヤレスデバイスの遅延耐性メッセージをネットワークに転送するのに最も適しているＵＥを評価し得る。ワイヤレスデバイスはその後、遅延耐性メッセージを、送信１３５を介して選ばれたＵＥに送信し得、該選ばれたＵＥがその後、該ＵＥの次のネットワーク接触が生じたときに該メッセージを転送し得る。
【００５９】
[0064]  図２Ａは、本開示の様々な態様に従う、遅延耐性トラフィックをネットワークに転送するためのワイヤレス通信システム２００の例を例示する。ワイヤレス通信システム２００は、基地局１０５−ａ−１、ＵＥ１１５−ａ−１、ＵＥ１１５−ｂ−１、ＵＥ１１５−ｃ−１、およびＵＥ１１５−ｄ−１を含み得、これらは、図１を参照して説明された対応するデバイスの例であり得る。ワイヤレス通信システム２００はまた、ワイヤレスデバイス２０５−ａ−１を含み得る。広くは（Broadly）、ワイヤレス通信システム２００は、ＵＥ１１５のＥＴＮＣの評価に部分的に基づいてワイヤレスデバイス２０５−ａ−１が遅延耐性メッセージをＵＥ１１５に送信する例を例示する。評価は、ワイヤレスデバイス２０５−ａ−１または選択されたＵＥ１１５のどちらかによって実行され得る。これらのメッセージはその後、基地局１０５−ａ−１に転送される。
【００６０】
[0065]  ワイヤレスデバイス２０５−ａ−１は様々な異なるデバイスを含み得る。例えばワイヤレスデバイス２０５−ａ−１は、環境センサ、機械センサ、ヘルスモニタリングセンサ等といったセンサデバイスであり得る。別の例として、ワイヤレスデバイス２０５−ａ−１は、スマートウォッチのようなウェアラブルデバイス、ＩｏＴデバイス、フィットネスデバイス等であり得る。また別の例として、ワイヤレスデバイス２０５−ａ−１は別のＵＥ１１５であり得る。
【００６１】
[0066]  ワイヤレスデバイス２０５−ａ−１は、基地局１０５−ａ−１に転送されるべき遅延耐性メッセージ（複数を含む）（例えば、データ、制御情報等）を有し得る。ワイヤレスデバイス２０５−ａ−１は、それが基地局１０５−ａ−１に転送されるべき遅延耐性メッセージを有することを示すためにそれがメッセージ２１０−ａ−１を１つまたは複数のＵＥにブロードキャストし得るように、遅延耐性メッセージを直接基地局１０５−ａ−１に送信するための手段を有さないことがある。ブロードキャストメッセージ２１０−ａ−１は、低電力アンライセンスエアインターフェースを介して複数のＵＥに送信され得る。一例では、ブロードキャストメッセージ２１０−ａ−１は、いつ遅延耐性メッセージが基地局１０５−ａ−１に送られることになるかについての遅延耐性または期限で構成され得る。ＵＥ１１５−ａ−１、ＵＥ１１５−ｂ−１、ＵＥ１１５−ｃ−１、およびＵＥ１１５−ｄ−１は、ブロードキャストメッセージ２１０−ａ−１を受信し得る。これらのＵＥ１１５は、それらそれぞれのＥＴＮＣを含み得る応答メッセージ２１５をワイヤレスデバイス２０５−ａ−１に送り得る。いくつかの例では、ブロードキャストメッセージ２１０−ａ−１が遅延耐性または期限を含むとき、ＵＥ１１５は、該ＵＥ１１５が該遅延耐性または該期限を満たすことができる場合にのみ応答メッセージ２１５を送り得る。ＥＴＮＣは、関連するＲＡＴについて、その特定のＲＡＴを介したネットワークとの接触の履歴を使用して決定され得る。各ＵＥは、該ＵＥが使用することが可能であるそれぞれのＲＡＴごとにＥＴＮＣを維持し得る。ＥＴＮＣは、サポートされているアクセスネットワーク、モビリティパターン、アプリケーショントラフィックダイナミクス、またはそれらの組合せに基づき得る。各ＵＥ１１５は、該ＵＥそれぞれのＥＴＮＣを、応答メッセージ２１５に含めるのではなく、それをブロードキャストし得る。
【００６２】
[0067]  加えて、複数のＵＥが、関連するＲＡＴについての計算されたコストメトリックを含み得る応答メッセージ２１５をワイヤレスデバイス２０５−ａ−１に送り得る。コストメトリックは、金銭的コスト、ＵＥリソース使用量、チャネル品質、またはＵＥが有するネットワークとの既存の接続に基づき得る。
【００６３】
[0068]  この例では、ＵＥ１１５−ａ−１、ＵＥ１１５−ｃ−１、およびＵＥ１１５−ｄ−１は、それぞれの応答メッセージ２１５−ａ−１、２１５−ｃ−１、および２１５−ｄ−１をワイヤレスデバイス２０５−ａ−１に送っている。ＵＥ１１５は、それらそれぞれのＥＴＮＣを、ブロードキャストメッセージ２１０−ａ−１中で受信された遅延耐性または期限と比較し、該比較に基づいて応答メッセージ２１５を送らせ得る。いくつかのＵＥ、例えばＵＥ１１５−ｂ−１は、所与の期限内に遅延耐性メッセージを適当に転送できないことを含み得る様々な理由で、応答メッセージをワイヤレスデバイス２０５−ａ−１に送らないことを選び得る。
【００６４】
[0069]  いくつかの例では、ブロードキャストメッセージ２１０−ａ−１は、遅延耐性または期限を含まないことがある。このケースでは、ワイヤレスデバイス２０５−ａ−１が遅延耐性メッセージを転送するのに適切なＵＥ１１５を決め得るように、ＵＥ１１５は単に、各ＵＥ１１５のそれぞれのＥＴＮＣを含む応答メッセージ２１５でワイヤレスデバイス２０５−ａ−１に応答する。
【００６５】
[0070]  各ＵＥのＥＴＮＣおよびコストメトリックといった基準に基づいて応答メッセージ２１５−ａ−１、２１５−ｃ−１、および２１５−ｄ−１のうちの１つまたは複数を評価した後、ワイヤレスデバイス２０５−ａ−１は、ネットワークに転送するために遅延耐性メッセージが送られ得る先の少なくとも１つのＵＥ１１５を決定し得る。複数の利用可能な転送するＵＥから少なくとも１つのＵＥ１１５を選ぶと、ワイヤレスデバイス２０５−ａ−１は、遅延耐性メッセージを選ばれたＵＥ１１５、このケースではＵＥ１１５−ｄ−１に送信２２０−ａにおいて送信し得る。遅延耐性メッセージを受信すると、ＵＥ１１５−ｄ−１は、それが基地局１０５−ａ−１に通信可能にリンクされるまで、該メッセージをキャッシュし得る。基地局１０５−ａ−１にリンクすることに成功すると、ＵＥ１１５−ｄ−１は、遅延耐性メッセージを、送信２２５を介して基地局１０５−ａ−１に送信し得る。ＵＥ１１５−ｄ−１がメッセージの期限または遅延耐性内に遅延耐性メッセージを基地局１０５−ａ−１に転送できない場合、ＵＥ１１５−ｄ−１は、該メッセージのうちの１つまたは複数を消去し得る。加えて、ＵＥ１１５−ｄ−１は、メッセージのうちの一部分を基地局１０５−ａ−１に送信した後にキャッシュされた遅延耐性メッセージのうちの１つまたは複数を保持するように選び得る。これは、特定の遅延耐性メッセージに関連付けられたコストメトリックが所与の送信について法外に高い場合に生じ得る。
【００６６】
[0071]  図２Ｂは、本開示の様々な態様に従う、遅延耐性トラフィックをネットワークに転送するためのワイヤレス通信システム２５０の例を例示する。ワイヤレス通信システム２５０は、基地局１０５−ａ−２、ＵＥ１１５−ａ−２、ＵＥ１１５−ｂ−２、ＵＥ１１５−ｃ−２、およびＵＥ１１５−ｄ−２を含み得、これらは、図１を参照して説明された対応するデバイスの例であり得る。ワイヤレス通信システム２５０はまた、ワイヤレスデバイス２０５−ａ−２を含み得る。広くは、ワイヤレス通信システム２５０は、ＵＥ１１５のＥＴＮＣの評価に部分的に基づいてワイヤレスデバイス２０５−ａ−２が遅延耐性メッセージをＵＥ１１５に送信する例を例示する。これらのメッセージはその後、複数のＵＥ１１５を介して基地局１０５−ａ−２に転送される。
【００６７】
[0072]  ワイヤレスデバイス２０５−ａ−２は、基地局１０５−ａ−２に転送されるべき遅延耐性メッセージ（複数を含む）（例えば、データ、制御情報等）を有し得る。ワイヤレスデバイス２０５−ａ−２は、それが基地局１０５−ａ−２に転送されるべき遅延耐性メッセージを有することを示すためにそれがメッセージ２１０−ａ−２を１つまたは複数のＵＥにブロードキャストし得るように、遅延耐性メッセージを直接基地局１０５−ａ−２に送信するための手段を有さないことがある。ブロードキャストメッセージ２１０−ａ−２は、低電力アンライセンスエアインターフェースを介して複数のＵＥに送信され得る。ブロードキャストメッセージ２１０−ａ−２は、いつ遅延耐性メッセージが基地局１０５−ａ−２に送られることになるかについての遅延耐性または期限で構成され得る。ＵＥ１１５−ａ−２、ＵＥ１１５−ｂ−２、ＵＥ１１５−ｃ−２、およびＵＥ１１５−ｄ−２は、ブロードキャストメッセージ２１０−ａ−２を受信し得る。これらのＵＥは、それらそれぞれのＥＴＮＣを含み得る応答メッセージ２１５をワイヤレスデバイス２０５−ａ−２に送り得る。加えて、複数のＵＥが、関連するＲＡＴについての計算されたコストメトリックを含み得る応答メッセージ２１５をワイヤレスデバイス２０５−ａ−２に送り得る。
【００６８】
[0073]  この例では、ＵＥ１１５−ａ−２、ＵＥ１１５−ｃ−２、およびＵＥ１１５−ｄ−２は、それぞれの応答メッセージ２１５−ａ−２、２１５−ｃ−２、および２１５−ｄ−２をワイヤレスデバイス２０５−ａ−２に送っている。これらのＵＥ１１５は、それらそれぞれのＥＴＮＣを、ブロードキャストメッセージ２１０−ａ−２中で受信された遅延耐性または期限と比較し、該比較に基づいて応答メッセージ２１５を送らせ得る。いくつかのＵＥ、例えばＵＥ１１５−ｂ−２は、所与の期限内に遅延耐性メッセージを適当に転送できないことを含み得る様々な理由で応答メッセージをワイヤレスデバイス２０５−ａ−１に送らないことを選び得る。
【００６９】
[0074]  いくつかの例では、ブロードキャストメッセージ２１０−ａ−２は、遅延耐性または期限を含まないことがある。このケースでは、ワイヤレスデバイス２０５−ａ−２が遅延耐性メッセージを転送するのに適切なＵＥ１１５を決め得るように、ＵＥ１１５は単に、各ＵＥ１１５のそれぞれのＥＴＮＣを含む応答メッセージ２１５でワイヤレスデバイス２０５−ａ−２に応答する。
【００７０】
[0075]  各ＵＥのＥＴＮＣおよびコストメトリックといった基準に基づいて応答メッセージ２１５−ａ−２、２１５−ｃ−２、および２１５−ｄ−２のうちの１つまたは複数を評価した後、ワイヤレスデバイス２０５−ａ−２は、ネットワークに転送するために遅延耐性メッセージが送られ得る先の少なくとも１つのＵＥ１１５を決定し得る。複数の利用可能な転送するＵＥから少なくとも１つのＵＥ１１５を選ぶと、ワイヤレスデバイス２０５−ａ−２は、遅延耐性メッセージを選ばれたＵＥ１１５、このケースではＵＥ１１５−ｄ−２に送信２２０−ｂにおいて送信し得る。遅延耐性メッセージを受信すると、ＵＥ１１５−ｄ−２は、それが基地局１０５−ａ−２に通信可能にリンクされるまで、該メッセージをキャッシュし得る。
【００７１】
[0076]  ある特定の事例では、ＵＥ１１５−ｄ−２は、ネットワークに転送するために、受信された遅延耐性メッセージを後続の転送するＵＥ１１５に転送し得る。この状況は、ＵＥ１１５−ｄ−２が、それが遅延耐性メッセージを基地局１０５−ａ−２に転送する可能性が低いか、または転送できないと決定する場合に生じ得る。この例では、ＵＥ１１５−ｄ−２は、それがネットワークに転送されるべき遅延耐性メッセージを有することを示すために、メッセージ２５５を１つまたは複数のＵＥにブロードキャストし得る（後続の転送するＵＥ１１５は、基地局１０５−ａ−２以外の基地局を利用し得る）。ブロードキャストメッセージ２５５は、いつ遅延耐性メッセージがネットワークに送られることになるかについての遅延耐性または期限で構成され得る。ＵＥ１１５−ｅおよびＵＥ１１５−ｆは、ブロードキャストメッセージ２５５を受信し得る。ＵＥ１１５−ｅおよびＵＥ１１５−ｆは、それらそれぞれのＥＴＮＣを含み得る応答メッセージ２６０−ｅおよび２６０−ｆをそれぞれ、ＵＥ１１５−ｄ−２に送り得る。加えて、ＵＥ１１５−ｅおよびＵＥ１１５−ｆは、関連するＲＡＴについての計算されたコストメトリックを含み得る応答メッセージ２６０−ｅおよび２６０−ｆをＵＥ１１５−ｄ−２に送り得る。
【００７２】
[0077]  各ＵＥのＥＴＮＣおよびコストメトリックといった基準に基づいて応答メッセージ２６０−ｅおよび２６０−ｆのうちの１つまたは複数を評価した後、ＵＥ１１５−ｄ−２は、遅延耐性メッセージがネットワークに転送されるようそれらが送られ得る先の少なくとも１つのＵＥ１１５を決定し得る。複数の利用可能な転送するＵＥから少なくとも１つのＵＥ１１５を選ぶと、ＵＥ１１５−ｄ−２は、遅延耐性メッセージを選ばれたＵＥ１１５、このケースではＵＥ１１５−ｆに送信２６５において送信し得る。遅延耐性メッセージを受信すると、ＵＥ１１５−ｆは、それが基地局１０５−ａ−２に通信可能にリンクされるまで、該メッセージをキャッシュし得る。基地局１０５−ａ−２にリンクすることに成功すると、ＵＥ１１５−ｆは、遅延耐性メッセージを、送信２７０を介して基地局１０５−ａ−２に送信し得る。ＵＥ１１５−ｆがメッセージの期限または遅延耐性内に遅延耐性メッセージを基地局１０５−ａ−１に転送できない場合、ＵＥ１１５−ｆは、該メッセージのうちの１つまたは複数を消去し得る。加えて、ＵＥ１１５−ｆは、メッセージのうちの一部分を基地局１０５−ａ−２に送信した後にキャッシュされた遅延耐性メッセージのうちの１つまたは複数を保持するように選び得る。これは、特定の遅延耐性メッセージに関連付けられたコストメトリックが所与の送信について法外に高い場合に生じ得る。
【００７３】
[0078]  図３Ａは、本開示の様々な態様に従う、遅延耐性トラフィックをネットワークに転送するためのプロセスフロー３００の例を示す。プロセスフロー３００のオペレーションは、図１〜図２Ｂを参照して説明されたような、ＵＥ１１５、基地局１０５、およびワイヤレスデバイス２０５といったデバイスによって実施され得る。一般に、プロセスフロー３００は、ＵＥ１１５のＥＴＮＣの評価に部分的に基づいてワイヤレスデバイス２０５−ｂ−１が遅延耐性メッセージをＵＥ１１５に送信する例を例示する。これらのメッセージはその後、基地局１０５−ｂ−１に転送される。
【００７４】
[0079]  ステップ３０５で、ＵＥ１１５−ｇ−１、ＵＥ１１５−ｈ−１、およびＵＥ１１５−ｉ−１が各々、ＥＴＮＣを計算し得る。ＥＴＮＣは、関連するＲＡＴについて、その特定のＲＡＴを介したネットワークとの接触の履歴を使用して決定され得る。各ＵＥは、該ＵＥが使用することが可能であるそれぞれのＲＡＴごとにＥＴＮＣを維持し得る。ＥＴＮＣは、サポートされているアクセスネットワーク、モビリティパターン、アプリケーショントラフィックダイナミクス、またはそれらの組合せに基づき得る。ある特定の事例では、該複数のＵＥは、それらそれぞれのＥＴＮＣ（図示せず）をブロードキャストし得る。
【００７５】
[0080]  ワイヤレスデバイス２０５−ｂ−１は、遅延耐性メッセージを基地局１０５−ｂ−１に転送するために、転送リクエスト３１０をＵＥ１１５−ｇ−１、ＵＥ１１５−ｈ−１、およびＵＥ１１５−ｉ−１に送り得る。ワイヤレスデバイス２０５−ｂ−１は、Ｂｌｕｅｔｏｏｔｈ低エネルギー（ＢＬＥ）、ＷｉＦｉ  Ａｗａｒｅ、ロングタームエボリューション（ＬＴＥ）Ｄｉｒｅｃｔ、またはＬＴＥ近接サービスのような送信プロトコルを使用して、該リクエストを送り得る。リクエスト３１０は、ワイヤレスデバイス２０５−ｂ−１が該複数のＵＥにブロードキャストするブロードキャストメッセージであり得る。リクエスト３１０は、いつ遅延耐性メッセージが基地局１０５−ｂ−１に送られることになるかについての遅延耐性または期限で構成され得る。転送リクエスト３１０を受信すると、ステップ３１５で、該複数のＵＥが、応答メッセージをワイヤレスデバイス２０５−ｂ−１に送信すべきかどうかを決定し得る。応答メッセージを送信すべきかどうかを決定することは、計算されたＥＴＮＣまたはコストメトリックに基づき得る。決定することはまた、ＵＥのＥＴＮＣを遅延耐性または期限と比較することにも基づき得る。いくつかの実施形態では、該複数のＵＥ１１５は、遅延耐性メッセージを基地局１０５−ｂ−１に転送することの見返りにワイヤレスデバイス２０５−ｂ−１に提示すべきオファーを決定し得る。このオファーは、遅延耐性メッセージを基地局１０５−ｂ−１に転送するためのＵＥ自体の計算されたコストメトリックに基づいて決定され得る。
【００７６】
[0081]  複数のＵＥ１１５のうちの少なくとも１つは、転送リクエスト３１０に応答してメッセージ３２０をワイヤレスデバイス２０５−ｂ−１に送信し得る。この例では、ＵＥ１１５−ｇ−１およびＵＥ１１５−ｉ−１は、応答メッセージ３２０をワイヤレスデバイス２０５−ｂ−１に送信している。応答メッセージ３２０は、各ＵＥのそれぞれのＥＴＮＣを含み得る。応答メッセージ３２０はまた、各ＵＥのそれぞれのコストメトリックおよび／または決定されたオファーも含み得る。
【００７７】
[0082]  応答メッセージ３２０を受信すると、ステップ３２５で、ワイヤレスデバイス２０５−ｂ−１は、適した転送するＵＥを決定するために該メッセージを評価し得る。評価プロセスは、遅延耐性メッセージが期限内に基地局１０５−ｂ−１に転送されるかどうか、遅延耐性メッセージが期限内に転送される確率、ＵＥ１１５によって提案されるオファーの費用効率が高いかどうか、各ＵＥのコストメトリックが法外に高くないかどうか等を含む様々な要因で構成され得る。ワイヤレスデバイス２０５−ｂ−１によって検討される各要因は、等しい割合または異なる割合で重み付けされ得る。ワイヤレスデバイス２０５−ｂ−１が遅延耐性メッセージ転送に適したＵＥを決定すると、ワイヤレスデバイス２０５−ｂ−１は、該メッセージを選択された１つまたは複数のＵＥにメッセージ伝達３３０において送信し得る。この例では、ワイヤレスデバイス２０５−ｂ−１は、遅延耐性メッセージの受信用にＵＥ１１５−ｇ−１を選んでいる。いくつかの実施形態では、ワイヤレスデバイス２０５−ｂ−１は、複数のＵＥがメッセージ転送に適した候補であると決定し得、遅延耐性メッセージを複数のＵＥに送信し得る。いくつかの実施形態では、複製の遅延耐性メッセージが適した転送候補に送信される。
【００７８】
[0083]  伝達３３０において遅延耐性メッセージを受信した後、ＵＥ１１５−ｇ−１は、該ＵＥのサービングネットワークとの次の接触までメッセージをキャッシュし得る（図示せず）。ステップ３３５で、ＵＥ１１５−ｇ−１は基地局１０５−ｂ−１と接触し、データ通信リンクを確立し得る。基地局１０５−ｂ−１にリンクすることに成功すると、ＵＥ１１５−ｇ−１は、遅延耐性メッセージを基地局１０５−ｂ−１にメッセージ伝達３４０において伝達し得る。
【００７９】
[0084]  図３Ｂは、本開示の様々な態様に従う、遅延耐性トラフィックをネットワークに転送するためのネットワーク選択についてのプロセスフロー３４５の例を示す。プロセスフロー３４５のオペレーションは、図１〜図２Ｂを参照して説明されたような、ＵＥ１１５、基地局１０５、およびワイヤレスデバイス２０５といったデバイスによって実施され得る。一般にプロセスフロー３４５は、ＵＥ１１５のＥＴＮＣの評価に部分的に基づいてワイヤレスデバイス２０５−ｂ−２が遅延耐性メッセージをＵＥ１１５に送信する例を例示する。これらのメッセージはその後、基地局１０５−ｂ−２に転送される。
【００８０】
[0085]  ステップ３０５で、ＵＥ１１５−ｇ−２、ＵＥ１１５−ｈ−２、およびＵＥ１１５−ｉ−２が各々、ＥＴＮＣを計算し得る。ある特定の事例では、該複数のＵＥは、それらそれぞれのＥＴＮＣをブロードキャストし得る（図示せず）。ワイヤレスデバイス２０５−ｂ−２は、遅延耐性メッセージを基地局１０５−ｂ−２に転送するために、転送リクエスト３５３をＵＥ１１５−ｇ−２、ＵＥ１１５−ｈ−２、およびＵＥ１１５−ｉ−２に送り得る。リクエスト３５３は、ワイヤレスデバイス２０５−ｂ−２が該複数のＵＥにブロードキャストするブロードキャストメッセージであり得る。リクエスト３５３は、いつ遅延耐性メッセージが基地局１０５−ｂ−２に送られることになるかについての遅延耐性または期限で構成され得る。転送リクエスト３５３を受信すると、ステップ３５７で、該複数のＵＥが、応答メッセージをワイヤレスデバイス２０５−ｂ−２に送信すべきかどうかを決定し得る。応答メッセージを送信すべきかどうかを決定することは、計算されたＥＴＮＣまたはコストメトリックに基づき得る。決定することはまた、ＵＥのＥＴＮＣを遅延耐性または期限と比較することにも基づき得る。いくつかの実施形態では、複数のＵＥ１１５は、遅延耐性メッセージを基地局１０５−ｂ−２に転送することの見返りにワイヤレスデバイス２０５−ｂ−２に提示すべきオファーを決定し得る。
【００８１】
[0086]  複数のＵＥ１１５のうちの少なくとも１つは、転送リクエスト３５３に応答してメッセージ３６０をワイヤレスデバイス２０５−ｂ−２に送信し得る。この例では、ＵＥ１１５−ｇ−２およびＵＥ１１５−ｉ−２は、応答メッセージ３６０をワイヤレスデバイス２０５−ｂ−２に送信している。応答メッセージ３６０は、各ＵＥのそれぞれのＥＴＮＣを含み得る。応答メッセージ３６０はまた、各ＵＥのそれぞれのコストメトリックおよび／または決定されたオファーも含み得る。
【００８２】
[0087]  応答メッセージ３６０を受信すると、ステップ３６３で、ワイヤレスデバイス２０５−ｂ−２は、適した転送するＵＥを決定するために該メッセージを評価し得る。評価プロセスは、遅延耐性メッセージが期限内に基地局１０５−ｂ−２に転送されるかどうか、遅延耐性メッセージが期限内に転送される確率、ＵＥ１１５によって提案されるオファーの費用効率が高いかどうか、各ＵＥのコストメトリックが法外に高くないかどうか等を含む様々な要因で構成され得る。ワイヤレスデバイス２０５−ｂ−２によって検討される各要因は、等しい割合または異なる割合で重み付けされ得る。ワイヤレスデバイス２０５−ｂ−２が遅延耐性メッセージ転送に適したＵＥを決定すると、ワイヤレスデバイス２０５−ｂ−２は、該メッセージを選択された１つまたは複数のＵＥにメッセージ伝達３６７において送信し得る。この例では、ワイヤレスデバイス２０５−ｂ−２は、遅延耐性メッセージの受信用にＵＥ１１５−ｇ−２を選んでいる。いくつかの実施形態では、ワイヤレスデバイス２０５−ｂ−２は、複数のＵＥがメッセージ転送に適した候補であると決定し、遅延耐性メッセージを複数のＵＥに送信し得る。いくつかの実施形態では、複製の遅延耐性メッセージが適した転送候補に送信される。
【００８３】
[0088]  伝達３６７において遅延耐性メッセージを受信した後、ＵＥ１１５−ｇ−２はメッセージをキャッシュし得る（図示せず）。ある特定の状況では、ＵＥ１１５−ｇ−２は、遅延耐性メッセージを基地局１０５−ｂ−２に転送できないことがあるか、またはそれが、別のＵＥ１１５がメッセージを転送するのにより適していることがあると決定し得る。これらのシナリオのもとでは、ＵＥ１１５−ｇ−２は、遅延耐性メッセージを基地局１０５−ｂ−２に転送するために、転送リクエスト３７０をＵＥ１１５−ｈ−２およびＵＥ１１５−ｉ−２に送り得る。リクエスト３７０は、ＵＥ１１５−ｇ−２が複数のＵＥにブロードキャストするブロードキャストメッセージであり得る。リクエスト３７０は、いつ遅延耐性メッセージが基地局１０５−ｂ−２に送られることになるかについての遅延耐性または期限で構成され得る。このリクエスト３７０における遅延耐性または期限は、転送リクエスト３５３において送信された遅延耐性または期限と同じであり得るか、または期限はＵＥ１１５−ｇ−２によって変更され得る。
【００８４】
[0089]  転送リクエスト３７０を受信すると、ステップ３７３で、複数のＵＥが、応答メッセージをＵＥ１１５−ｇ−２に送信すべきかどうかを決定し得る。応答メッセージを送信すべきかどうかを決定することは、計算されたＥＴＮＣまたはコストメトリックに基づき得る。計算されたＥＴＮＣは、ステップ３５０において計算されたＥＴＮＣと同じであり得るか、またはそれはステップ３７３で再計算され得る。計算されたコストメトリックは、ステップ３５７において計算されたコストメトリックと同じであり得るか、またはそれは、ステップ３７３で再計算され得る。決定することはまた、ＵＥのＥＴＮＣを、以前の遅延耐性または期限または調整された遅延耐性または期限と比較することにも基づき得る。
【００８５】
[0090]  複数のＵＥ１１５のうちの少なくとも１つが、転送リクエスト３７０に応答してメッセージ３７７をＵＥ１１５−ｇ−２に送信し得る。この例では、ＵＥ１１５−ｈ−２およびＵＥ１１５−ｉ−２は、送信された応答メッセージ３７７をＵＥ１１５−ｇ−２に送信している。応答メッセージ３７７は、各ＵＥのそれぞれのＥＴＮＣを含み得る。応答メッセージ３７７はまた、各ＵＥのそれぞれのコストメトリックおよび／または決定されたオファーも含み得る。
【００８６】
[0091]  応答メッセージ３７７を受信すると、ステップ３８０で、ＵＥ１１５−ｇ−２は、適した転送するＵＥを決定するために該メッセージを評価し得る。評価プロセスは、遅延耐性メッセージが期限内に基地局１０５−ｂ−２に転送されるかどうか、遅延耐性メッセージが期限内に転送される確率、ＵＥ１１５によって提案されるオファーの費用効率が高いかどうか、各ＵＥのコストメトリックが法外に高くないかどうか等を含む様々な要因で構成され得る。ＵＥ１１５−ｇ−２によって検討される各要因は、等しい割合または異なる割合で重み付けされ得る。ＵＥ１１５−ｇ−２が遅延耐性メッセージ転送に適したＵＥを決定すると、ＵＥ１１５−ｇ−２は、該メッセージを選択された１つまたは複数のＵＥにメッセージ伝達３８３において送信し得る。この例では、ＵＥ１１５−ｇ−２は、遅延耐性メッセージの受信用にＵＥ１１５−ｉ−２を選んでいる。いくつかの実施形態では、ＵＥ１１５−ｇ−２は、複数のＵＥがメッセージ転送に適した候補であると決定し得、遅延耐性メッセージを複数のＵＥに送信し得る。いくつかの実施形態では、複製の遅延耐性メッセージが適した転送候補に送信される。
【００８７】
[0092]  伝達３８３において遅延耐性メッセージを受信した後、ＵＥ１１５−ｉ−２は、該ＵＥのサービングネットワークとの次の接触までメッセージをキャッシュし得る（図示せず）。ステップ３８７で、ＵＥ１１５−ｉ−２は基地局１０５−ｂ−２と接触し、データ通信リンクを確立し得る。基地局１０５−ｂ−２にリンクすることに成功すると、ＵＥ１１５−ｉ−２は、遅延耐性メッセージを基地局１０５−ｂ−２にメッセージ伝達３９０において伝達し得る。
【００８８】
[0093]  図４は、本開示の様々な態様に従う、遅延耐性メッセージについての転送するノード選択およびルーティングをサポートするワイヤレスデバイス４０５のブロック図４００を示す。ワイヤレスデバイス４０５は、図１〜図３Ｂを参照して説明されたようなＵＥ１１５、または図２Ａ〜図３Ｂを参照して説明されたようなワイヤレスデバイス２０５の態様の例であり得る。ワイヤレスデバイス４０５は、受信機４１０、選択およびルーティングマネージャ４１５、および送信機４２０を含み得る。ワイヤレスデバイス４０５はまた、プロセッサを含み得る。これらのコンポーネントの各々は、（例えば１つまたは複数のバスを介して）互いと通信状態にあり得る。
【００８９】
[0094]  受信機４１０は、様々な情報チャネル（例えば制御チャネル、データチャネル、並びに遅延耐性メッセージについての転送するノード選択およびルーティングに関する情報等）に関連付けられたパケット、ユーザデータ、または制御情報といった情報を受信し得る。情報は、デバイスの他のコンポーネントにパスされ得る。受信機４１０は、図７を参照して説明されるトランシーバ７３５の態様の例であり得る。
【００９０】
[0095]  選択およびルーティングマネージャ４１５は、図７を参照して説明される選択およびルーティングマネージャ７１５の態様の例であり得る。
【００９１】
[0096]  ワイヤレスデバイス４０５がＵＥ１１５であるとき、選択およびルーティングマネージャ４１５は、ネットワークに転送されるべき１つまたは複数の遅延耐性メッセージを該ワイヤレスデバイスが有することを示すリクエストを受信し、ネットワーク接触までの推定時間を示す応答メッセージをワイヤレスデバイスに送り、転送されるべき１つまたは複数の遅延耐性メッセージを受信およびキャッシュし、１つまたは複数の遅延耐性メッセージのうちの少なくとも１つを転送し得る。ワイヤレスデバイス４０５が（ＩｏＴデバイスのような）ワイヤレスデバイス２０５であるとき、選択およびルーティングマネージャ４１５は、ネットワークに転送されるべき１つまたは複数の遅延耐性メッセージを該ワイヤレスデバイスが有することを示すリクエストを送り、対応する１つまたは複数のＵＥから１つまたは複数の応答メッセージを受信することであって、該１つまたは複数の応答メッセージは各々、対応するＵＥについてのネットワーク接触までの推定時間を示す、受信することを行い、ネットワークに転送されるよう１つまたは複数の遅延耐性メッセージが送られ得る先の１つまたは複数のＵＥのうちの少なくとも１つを決定するために、１つまたは複数の応答メッセージを評価し、１つまたは複数の遅延耐性メッセージを１つまたは複数のＵＥのうちの少なくとも１つに送信し得る。選択およびルーティングマネージャ４１５はまた、ワイヤレスデバイスから、ネットワークに転送されるべき１つまたは複数の遅延耐性メッセージを該ワイヤレスデバイスが有することを示すリクエストを送ることであって、該リクエストは、いつ１つまたは複数の遅延耐性メッセージがネットワークに送られることになるかについての遅延耐性または期限を含む、送ることを行い、対応する１つまたは複数のＵＥから１つまたは複数の応答メッセージを受信し、１つまたは複数の遅延耐性メッセージを１つまたは複数のＵＥのうちの少なくとも１つに送信し得る。
【００９２】
[0097]  送信機４２０は、デバイスの他のコンポーネントによって生成された信号を送信し得る。いくつかの例では、送信機４２０は、トランシーバモジュールにおいて受信機４１０と併置（collocated）され得る。例えば送信機４２０は、図７を参照して説明されるトランシーバ７３５の態様の例であり得る。送信機４２０は単一のアンテナを含み得るか、またはそれはアンテナのセットを含み得る。
【００９３】
[0098]  図５は、本開示の様々な態様に従う、遅延耐性メッセージについての転送するノード選択およびルーティングをサポートするワイヤレスデバイス５０５のブロック図５００を示す。ワイヤレスデバイス５０５は、図１〜図４を参照して説明されたようなワイヤレスデバイス４０５、ＵＥ１１５、またはワイヤレスデバイス２０５の態様の例であり得る。ワイヤレスデバイス５０５は、受信機５１０、選択およびルーティングマネージャ５１５、および送信機５２０を含み得る。ワイヤレスデバイス５０５はまた、プロセッサを含み得る。これらのコンポーネントの各々は、（例えば１つまたは複数のバスを介して）互いと通信状態にあり得る。
【００９４】
[0099]  受信機５１０は、様々な情報チャネル（例えば制御チャネル、データチャネル、並びに遅延耐性メッセージについての転送するノード選択およびルーティングに関する情報等）に関連付けられたパケット、ユーザデータ、または制御情報といった情報を受信し得る。情報は、デバイスの他のコンポーネントにパスされ得る。受信機７１０は、図７を参照して説明されるトランシーバ７３５の態様の例であり得る。
【００９５】
[0100]  選択およびルーティングマネージャ５１５は、図４を参照して説明される選択およびルーティングマネージャ４１５の態様の例であり得る。選択およびルーティングマネージャ５１５はまた、図７を参照して説明される選択およびルーティングマネージャ７１５の態様の例であり得る。
【００９６】
[0101]  選択およびルーティングマネージャ５１５は、メッセージリクエストコンポーネント５２５、応答メッセージコンポーネント５３０、キャッシングコンポーネント５３５、メッセージ転送コンポーネント５４０、メッセージ評価コンポーネント５４５、およびメッセージ送信コンポーネント５５０を含み得る。
【００９７】
[0102]  いくつかのケースでは、デバイス５０５はＵＥ１１５であり得る。それらのケースでは、メッセージリクエストコンポーネント５２５は、ワイヤレスデバイス５０５がＵＥであるとき、ネットワークに転送されるべき１つまたは複数の遅延耐性メッセージをワイヤレスデバイス２０５が有することを示すリクエストを受信し得る。応答メッセージコンポーネント５３０は、ネットワーク接触までの推定時間を示す応答メッセージをワイヤレスデバイス２０５に送り得る。いくつかのケースでは、１つまたは複数の応答メッセージはコストメトリックをさらに含み、ここで該コストメトリックは、金銭的コスト、ＵＥリソース使用量、チャネル品質、またはＵＥが有するネットワークとの既存の接続のうちの少なくとも１つに基づく。いくつかのケースでは、１つまたは複数の応答メッセージは、１つまたは複数のＵＥから受信された１つまたは複数のブロードキャストメッセージを含む。
【００９８】
[0103]  キャッシングコンポーネント５３５は、転送されるべき１つまたは複数の遅延耐性メッセージをキャッシュし、該遅延耐性メッセージのうちの１つまたは複数が遅延耐性内または期限内に転送されないことに基づいて、該遅延耐性メッセージのうちの該１つまたは複数を消去し得る。いくつかのケースでは、１つまたは複数の遅延耐性メッセージのうちの少なくとも１つは、計算されたコストメトリックに基づいてキャッシュされたままである。メッセージ転送コンポーネント５４０は、１つまたは複数の遅延耐性メッセージのうちの少なくとも１つをＵＥまたはネットワークに転送し得る。
【００９９】
[0104]  メッセージ送信コンポーネント５５０は、１つまたは複数の遅延耐性メッセージを少なくとも１つのＵＥ１１５に送信し得る。メッセージ送信コンポーネント５５０は、１つまたは複数の遅延耐性メッセージをネットワークに送信し得る。
【０１００】
[0105]  いくつかのケースでは、デバイス５０５はワイヤレスデバイス２０５の例であり得る。それらのケースでは、メッセージリクエストコンポーネント５２５は、ネットワークに転送されるべき１つまたは複数の遅延耐性メッセージをワイヤレスデバイス５０５が有することを示すリクエストを送り得る。いくつかのケースでは、リクエストは、いつ１つまたは複数の遅延耐性メッセージがネットワークに送られることになるかについての遅延耐性または期限を含む。
【０１０１】
[0106]  メッセージ評価コンポーネント５４５は、ネットワークに転送されるよう遅延耐性メッセージが送られ得る先の少なくとも１つのＵＥを決定するために１つまたは複数の応答メッセージを評価し得る。いくつかのケースでは、１つまたは複数の応答メッセージを評価することはさらに、１つまたは複数の遅延耐性メッセージが、遅延耐性内または期限前にネットワークに転送される確率を決定することを含む。いくつかのケースでは、１つまたは複数の評価パラメータはコストメトリックを含み、ここで該コストメトリックは、金銭的コスト、ＵＥリソース使用量、チャネル品質、またはＵＥが有するネットワークとの既存の接続のうちの少なくとも１つに基づく。いくつかのケースでは、１つまたは複数の評価パラメータは、対応するＵＥについてのネットワーク接触までの推定時間を含み、ここで該ネットワーク接触までの推定時間は、サポートされているアクセスネットワーク、モビリティパターン、アプリケーショントラフィックダイナミクス、またはそれらの組合せのうちの少なくとも１つに基づく。いくつかのケースでは、１つまたは複数の応答メッセージを評価することはさらに、１つまたは複数の遅延耐性メッセージが、遅延耐性内または期限前にネットワークに転送される確率を決定することを含む。
【０１０２】
[0107]  メッセージ送信コンポーネント５５０は、１つまたは複数の遅延耐性メッセージをワイヤレスデバイス２０５から少なくとも１つのＵＥ１１５に送信し得る。いくつかのケースでは、リクエストを送ることは、ＢＬＥ、ＷｉＦｉ  Ａｗａｒｅ、ＬＴＥ  Ｄｉｒｅｃｔ、またはＬＴＥ近接サービスのうちの１つである送信プロトコルを使用することを含む。
【０１０３】
[0108]  送信機５２０は、デバイスの他のコンポーネントによって生成された信号を送信し得る。いくつかの例では、送信機５２０は、トランシーバモジュールにおいて受信機５１０と併置され得る。例えば、送信機５２０は、図７を参照して説明されるトランシーバ７３５の態様の例であり得る。送信機５２０は単一のアンテナを含み得るか、またはそれはアンテナのセットを含み得る。
【０１０４】
[0109]  図６は、本開示の様々な態様に従う、遅延耐性メッセージについての転送するノード選択およびルーティングをサポートする選択およびルーティングマネージャ６１５のブロック図６００を示す。選択およびルーティングマネージャ６１５は、図４、図５、および図７を参照して説明される選択およびルーティングマネージャ４１５、選択およびルーティングマネージャ５１５、または選択およびルーティングマネージャ７１５の態様の例であり得る。選択およびルーティングマネージャ６１５は、メッセージリクエストコンポーネント６２０、応答メッセージコンポーネント６２５、キャッシングコンポーネント６３０、メッセージ転送コンポーネント６３５、メッセージ評価コンポーネント６４０、メッセージ送信コンポーネント６４５、コストメトリックコンポーネント６５０、および時間推定コンポーネント６５５を含み得る。これらのモジュールの各々は、（例えば１つまたは複数のバスを介して）互いと直接的または間接的に通信し得る。
【０１０５】
[0110]  いくつかのケースでは、選択およびルーティングマネージャ６１５は、ＵＥ１１５によって利用され得る。それらのケースでは、メッセージリクエストコンポーネント６２０は、ネットワークに転送されるべき１つまたは複数の遅延耐性メッセージをワイヤレスデバイス２０５が有することを示すリクエストを受信し得る。応答メッセージコンポーネント６２５は、ネットワーク接触までの推定時間を示す応答メッセージをワイヤレスデバイス２０５に送り得る。いくつかのケースでは、１つまたは複数の応答メッセージはコストメトリックをさらに含み、ここで該コストメトリックは、金銭的コスト、ＵＥリソース使用量、チャネル品質、またはＵＥが有するネットワークとの既存の接続のうちの少なくとも１つに基づく。いくつかのケースでは、１つまたは複数の応答メッセージは、１つまたは複数のＵＥから受信された１つまたは複数のブロードキャストメッセージを含む。
【０１０６】
[0111]  キャッシングコンポーネント６３０は、転送されるべき１つまたは複数の遅延耐性メッセージをキャッシュし、該遅延耐性メッセージのうちの１つまたは複数が遅延耐性内または期限内に転送されないことに基づいて、該遅延耐性メッセージのうちの該１つまたは複数を消去し得る。いくつかのケースでは、１つまたは複数の遅延耐性メッセージのうちの少なくとも１つは、計算されたコストメトリックに基づいてキャッシュされたままである。メッセージ転送コンポーネント６３５は、１つまたは複数の遅延耐性メッセージのうちの少なくとも１つをＵＥまたはネットワークに転送し得る。
【０１０７】
[0112]  コストメトリックコンポーネント６５０は、少なくとも１つのＲＡＴについてのコストメトリックを計算し得、ここで該コストメトリックは、金銭的コスト、ＵＥリソース使用量、チャネル品質、またはＵＥが有するネットワークとの既存の接続のうちの少なくとも１つに基づく。
【０１０８】
[0113]  ネットワーク接触までの推定時間コンポーネント６５５は、ＵＥ１１５によって、少なくとも１つのＲＡＴを介したネットワークとの接触の履歴を使用することによりネットワーク接触までの推定時間を決定し得る。いくつかのケースでは、ネットワーク接触までの推定時間コンポーネント６５５は、ＵＥが使用することが可能であるそれぞれのＲＡＴごとの決定されたネットワーク接触までの推定時間を維持し得る。いくつかのケースでは、ネットワーク接触までの推定時間コンポーネント６５５は、ネットワーク接触までの推定時間を示すメッセージをブロードキャストし得る。いくつかのケースでは、ネットワーク接触までの推定時間は、サポートされているアクセスネットワーク、モビリティパターン、アプリケーショントラフィックダイナミクス、またはそれらの組合せのうちの少なくとも１つに基づく。
【０１０９】
[0114]  いくつかのケースでは、選択およびルーティングマネージャ６１５は、ワイヤレスデバイス２０５によって利用され得る。それらのケースでは、メッセージリクエストコンポーネント６２０は、ネットワークに転送されるべき１つまたは複数の遅延耐性メッセージをワイヤレスデバイス２０５が有することを示すリクエストを送り得る。いくつかのケースでは、リクエストは、いつ１つまたは複数の遅延耐性メッセージがネットワークに送られることになるかについての遅延耐性または期限を含む。
【０１１０】
[0115]  メッセージ評価コンポーネント６４０は、ネットワークに転送されるよう遅延耐性メッセージが送られ得る先の少なくとも１つのＵＥを決定するために１つまたは複数の応答メッセージを評価し得る。いくつかのケースでは、１つまたは複数の応答メッセージを評価することはさらに、１つまたは複数の遅延耐性メッセージが、遅延耐性内または期限前にネットワークに転送される確率を決定することを含む。いくつかのケースでは、１つまたは複数の評価パラメータはコストメトリックを含み、ここで該コストメトリックは、金銭的コスト、ＵＥリソース使用量、チャネル品質、またはＵＥが有するネットワークとの既存の接続のうちの少なくとも１つに基づく。いくつかのケースでは、１つまたは複数の評価パラメータは、対応するＵＥについてのネットワーク接触までの推定時間を含み、ここで該ネットワーク接触までの推定時間は、サポートされているアクセスネットワーク、モビリティパターン、アプリケーショントラフィックダイナミクス、またはそれらの組合せのうちの少なくとも１つに基づく。いくつかのケースでは、１つまたは複数の応答メッセージを評価することはさらに、１つまたは複数の遅延耐性メッセージが、遅延耐性内または期限前にネットワークに転送される確率を決定することを含む。
【０１１１】
[0116]  メッセージ送信コンポーネント６４５は、１つまたは複数の遅延耐性メッセージを少なくとも１つのＵＥ１１５に送信し得る。いくつかのケースでは、リクエストを送ることは、ＢＬＥ、ＷｉＦｉ  Ａｗａｒｅ、ＬＴＥ  Ｄｉｒｅｃｔ、またはＬＴＥ近接サービスのうちの１つである送信プロトコルを使用することを含む。
【０１１２】
[0117]  図７は、本開示の様々な態様に従う、遅延耐性メッセージについての転送するノード選択およびルーティングをサポートするデバイス７０５を含むシステム７００の図を示す。デバイス７０５は、例えば図１〜図５を参照して上で説明されたようなワイヤレスデバイス４０５、ワイヤレスデバイス５０５、ワイヤレスデバイス２０５、またはＵＥ１１５のコンポーネントの例であり得るか、またはそれらを含み得る。
【０１１３】
[0118]  デバイス７０５は、選択およびルーティングマネージャ７１５、プロセッサ７２０、メモリ７２５、ソフトウェア７３０、トランシーバ７３５、アンテナ７４０、およびＩ／Ｏコントローラ７４５を含む、通信を送信および受信するためのコンポーネントを含む双方向音声およびデータ通信のためのコンポーネントを含み得る。
【０１１４】
[0119]  プロセッサ７２０は、インテリジェントハードウェアデバイス（例えば、汎用プロセッサ、デジタルシグナルプロセッサ（ＤＳＰ）、中央処理ユニット（ＣＰＵ）、マイクロコントローラ、特定用途向け集積回路（ＡＳＩＣ）、フィールドプログラマブルゲートアレイ（ＦＰＧＡ）、プログラマブル論理デバイス、ディスクリートゲートもしくはトランジスタ論理コンポーネント、ディスクリートハードウェアコンポーネント、またはそれらの任意の組合せ）を含み得る。いくつかのケースでは、プロセッサ７２０は、メモリコントローラを使用してメモリアレイをオペレートするように構成され得る。他のケースでは、メモリコントローラはプロセッサ７２０中に統合され得る。プロセッサ７２０は、様々な機能（例えば、遅延耐性メッセージについての転送するノード選択およびルーティングをサポートする機能またはタスク）を行うために、メモリに記憶されたコンピュータ可読命令を実行するように構成され得る。
【０１１５】
[0120]  メモリ７２５は、ランダムアクセスメモリ（ＲＡＭ）および読取専用メモリ（ＲＯＭ）を含み得る。メモリ７２５は、実行されると、プロセッサに、本明細書で説明される様々な機能を行わせる命令を含むコンピュータ可読、コンピュータ実行可能ソフトウェア７３０を記憶し得る。いくつかのケースでは、メモリ７２５は、とりわけ、周辺コンポーネントまたはデバイスとの相互動作のような基本ハードウェアおよび／またはソフトウェアオペレーションを制御し得る基本入出力システム（ＢＩＯＳ）を含み得る。
【０１１６】
[0121]  ソフトウェア７３０は、遅延耐性メッセージについての転送するノード選択およびルーティングをサポートするためのコードを含む本開示の態様を実施するためのコードを含み得る。ソフトウェア７３０は、システムメモリまたは他のメモリといった非一時的コンピュータ可読媒体に記憶され得る。いくつかのケースでは、ソフトウェア７３０は、プロセッサによって直接的に実行可能でないことがあり得るが、（例えば、コンパイルおよび実行されると）コンピュータに、本明細書で説明される機能を行わせ得る。
【０１１７】
[0122]  トランシーバ７３５は、上で説明されたように、１つまたは複数のアンテナを介して有線またはワイヤレスリンクを双方向に通信し得る。例えば、トランシーバ７３５はワイヤレストランシーバを表し得、別のワイヤレストランシーバと双方向に通信し得る。トランシーバ７３５はまた、パケットを変調して該変調されたパケットを送信のためにアンテナに提供することと、アンテナから受信されたパケットを復調することとを行うためのモデムを含み得る。
【０１１８】
[0123]  いくつかのケースでは、ワイヤレスデバイスは単一のアンテナ７４０を含み得る。しかしながらいくつかのケースでは、デバイスは１つよりも多いアンテナ７４０を有し得、それらは、複数のワイヤレス送信を同時に送信または受信することが可能であり得る。デバイス７０５がＵＥ１１５の例であるとき、デバイス７０５は、アンテナ７４０で、ネットワークに転送されるべき１つまたは複数の遅延耐性メッセージをワイヤレスデバイスが有することを示すリクエストを受信し得る。それはまた、ネットワーク接触までの推定時間を示す応答メッセージをワイヤレスデバイスに送るためにアンテナ７０５を使用し得る。加えて、デバイス７０５がＵＥ１１５の例であるとき、それは、少なくとも１つまたは複数の遅延耐性メッセージを基地局１０５−ｃに転送するためにアンテナ７０５を使用し得る。
【０１１９】
[0124]  デバイス７０５がワイヤレスデバイス２０５の例であるとき、デバイス７０５は、ネットワークに転送されるべき１つまたは複数の遅延耐性メッセージをワイヤレスデバイス２０５が有することを示すリクエストを送り得る。それはまた、ネットワーク接触までの推定時間を示す応答メッセージを受信するためにアンテナ７０５を使用し得る。加えて、デバイス７０５がワイヤレスデバイス２０５の例であるとき、それは、少なくとも１つまたは複数の遅延耐性メッセージをＵＥ１１５−ｊに転送するためにアンテナ７０５を使用し得る。
【０１２０】
[0125]  Ｉ／Ｏコントローラ７４５は、デバイス７０５についての入力信号および出力信号を管理し得る。入力／出力制御コンポーネント７４５はまた、デバイス７０５中に統合されていない周辺機器も管理し得る。いくつかのケースでは、入力／出力制御コンポーネント７４５は、外部周辺機器に対する物理的接続またはポートを表し得る。いくつかのケースでは、Ｉ／Ｏコントローラ７４５は、ｉＯＳ（登録商標）、ＡＮＤＲＯＩＤ（登録商標）、ＭＳ−ＤＯＳ（登録商標）、ＭＳ−ＷＩＮＤＯＷＳ（登録商標）、ＯＳ／２（登録商標）、ＵＮＩＸ（登録商標）、ＬＩＮＵＸ（登録商標）、または別の既知のオペレーティングシステムといったオペレーティングシステムを利用し得る。
【０１２１】
[0126]  図８は、本開示の様々な態様に従う、遅延耐性メッセージについての転送するノード選択およびルーティングのための方法８００を例示するフローチャートを示す。方法８００のオペレーションは、本明細書で説明されるようなＵＥ１１５のようなワイヤレス中継デバイス、またはそのコンポーネントによって実施され得る。例えば方法８００のオペレーションは、図４〜図７を参照して説明されたような選択およびルーティングマネージャによって行われ得る。いくつかの例では、ＵＥ１１５は、下記で説明される機能を行うためにデバイスの機能的要素を制御するためのコードのセットを実行し得る。加えてまたは代替的に、ＵＥ１１５は、専用ハードウェアを使用して下記で説明される機能の態様を行い得る。
【０１２２】
[0127]  ブロック８０５で、ワイヤレス中継デバイスは、ネットワークに転送されるべき１つまたは複数の遅延耐性メッセージをワイヤレスデバイスが有することを示すリクエストを受信し得る。リクエストは、いつ１つまたは複数の遅延耐性メッセージがネットワークに送られることになるかについての遅延耐性または期限を備え得る。ブロック８０５のオペレーションは、図１〜図３Ｂを参照して説明された方法に従って行われ得る。ある特定の例では、ブロック８０５のオペレーションの態様は、図４〜図７を参照して説明されたようなメッセージリクエストコンポーネントによって行われ得る。
【０１２３】
[0128]  ブロック８１０で、ワイヤレス中継デバイスは、ネットワーク接触までの推定時間を示す応答メッセージをワイヤレスデバイスに送り得る。応答メッセージは、ネットワーク接触までの推定時間を含み得る。ブロック８１５のオペレーションは、図１〜図３Ｂを参照して説明された方法に従って行われ得る。ある特定の例では、ブロック８１５のオペレーションの態様は、図４〜図７を参照して説明されたような応答メッセージコンポーネントによって行われ得る。
【０１２４】
[0129]  ブロック８１５で、ワイヤレス中継デバイスは、転送されるべき１つまたは複数の遅延耐性メッセージを受信およびキャッシュし得る。いくつかの事例では、ワイヤレス中継デバイスは、該遅延耐性メッセージのうちの１つまたは複数が、遅延耐性内または期限内に転送されないことに少なくとも部分的に基づいて該遅延耐性メッセージのうちの該１つまたは複数を消去し得る。また、ワイヤレス中継デバイスは、１つまたは複数の遅延耐性メッセージが計算されたコストメトリックに少なくとも部分的に基づいてキャッシュされたままになることを可能にし得る。ブロック８１５のオペレーションは、図１〜図３Ｂを参照して説明された方法に従って行われ得る。ある特定の例では、ブロック８１５のオペレーションの態様は、図４〜図７を参照して説明されたようなキャッシングコンポーネントによって行われ得る。
【０１２５】
[0130]  ブロック８２０で、ワイヤレス中継デバイスは、１つまたは複数の遅延耐性メッセージのうちの少なくとも１つを転送し得る。１つまたは複数の遅延耐性メッセージは、ネットワークに転送され得る。ブロック８２０のオペレーションは、図１〜図３Ｂを参照して説明された方法に従って行われ得る。ある特定の例では、ブロック８２０のオペレーションの態様は、図４〜図７を参照して説明されたようなメッセージ転送コンポーネントによって行われ得る。
【０１２６】
[0131]  図９は、本開示の様々な態様に従う、遅延耐性メッセージについての転送するノード選択およびルーティングのための方法９００を例示するフローチャートを示す。方法９００のオペレーションは、本明細書で説明されるようなＵＥ１１５のようなワイヤレス中継デバイス、またはそのコンポーネントによって実施され得る。例えば方法９００のオペレーションは、図４〜図７を参照して説明されたような選択およびルーティングマネージャによって行われ得る。いくつかの例では、ＵＥ１１５は、下記で説明される機能を行うためにデバイスの機能的要素を制御するためのコードのセットを実行し得る。加えてまたは代替的に、ＵＥ１１５は、専用ハードウェアを使用して下記で説明される機能の態様を行い得る。
【０１２７】
[0132]  ブロック９０５で、ワイヤレス中継デバイスは、ネットワークに転送されるべき１つまたは複数の遅延耐性メッセージをワイヤレスデバイスが有することを示すリクエストを受信し得る。リクエストは、いつ１つまたは複数の遅延耐性メッセージがネットワークに送られることになるかについての遅延耐性または期限を備え得る。ブロック９０５のオペレーションは、図１〜図３Ｂを参照して説明された方法に従って行われ得る。ある特定の例では、ブロック９０５のオペレーションの態様は、図４〜図７を参照して説明されたようなメッセージリクエストコンポーネントによって行われ得る。
【０１２８】
[0133]  ブロック９１０で、ワイヤレス中継デバイスは、ネットワーク接触までの推定時間を示す応答メッセージをワイヤレスデバイスに送り得る。応答メッセージは、ネットワーク接触までの推定時間を含み得る。ブロック９１５のオペレーションは、図１〜図３Ｂを参照して説明された方法に従って行われ得る。ある特定の例では、ブロック９１５のオペレーションの態様は、図４〜図７を参照して説明されたような応答メッセージコンポーネントによって行われ得る。
【０１２９】
[0134]  ブロック９１５で、ワイヤレス中継デバイスは、転送されるべき１つまたは複数の遅延耐性メッセージを受信およびキャッシュし得る。いくつかの事例では、ワイヤレス中継デバイスは、該遅延耐性メッセージのうちの１つまたは複数が、遅延耐性内または期限内に転送されないことに少なくとも部分的に基づいて該遅延耐性メッセージのうちの該１つまたは複数を消去し得る。また、ワイヤレス中継デバイスは、１つまたは複数の遅延耐性メッセージが計算されたコストメトリックに少なくとも部分的に基づいてキャッシュされたままになることを可能にし得る。ブロック９１５のオペレーションは、図１〜図３Ｂを参照して説明された方法に従って行われ得る。ある特定の例では、ブロック９１５のオペレーションの態様は、図４〜図７を参照して説明されたようなキャッシングコンポーネントによって行われ得る。
【０１３０】
[0135]  ブロック９２０で、ワイヤレス中継デバイスは、第２のワイヤレス中継デバイスから、該第２のＵＥについてのネットワーク接触までの推定時間を示すメッセージを受信し得る。メッセージは、第２のワイヤレス中継デバイスからのコストメトリックを含み得る。ブロック９２０のオペレーションは、図１〜図３Ｂを参照して説明された方法に従って行われ得る。ある特定の例では、ブロック９２０のオペレーションの態様は、図４〜図７を参照して説明されたようなメッセージ送信コンポーネントによって行われ得る。
【０１３１】
[0136]  ブロック９２５で、ワイヤレス中継デバイスは、１つまたは複数の遅延耐性メッセージのうちの少なくとも１つを第２のＵＥに転送し得る。１つまたは複数の遅延耐性メッセージの転送は、第２のワイヤレス中継デバイスからの受信されたコストメトリックに少なくとも部分的に基づき得る。ブロック９２５のオペレーションは、図１〜図３Ｂを参照して説明された方法に従って行われ得る。ある特定の例では、ブロック９２５のオペレーションの態様は、図４〜図７を参照して説明されたようなメッセージ転送コンポーネントによって行われ得る。
【０１３２】
[0137]  図１０は、本開示の様々な態様に従う、遅延耐性メッセージについての転送するノード選択およびルーティングのための方法１０００を例示するフローチャートを示す。方法１０００のオペレーションは、本明細書で説明されるようなワイヤレスデバイス２０５（例えばＩｏＴデバイス）またはそのコンポーネントによって実施され得る。例えば方法１０００のオペレーションは、図４〜図７を参照して説明されたような選択およびルーティングマネージャによって行われ得る。いくつかの例では、ワイヤレスデバイス２０５は、下記で説明される機能を行うために、デバイスの機能的要素を制御するためのコードのセットを実行し得る。加えてまたは代替的に、ワイヤレスデバイス２０５は、専用ハードウェアを使用して下記で説明される機能の態様を行い得る。
【０１３３】
[0138]  ブロック１００５で、ワイヤレスデバイス２０５は、ネットワークに転送されるべき１つまたは複数の遅延耐性メッセージをワイヤレスデバイス２０５が有することを示すリクエストを送り得る。ワイヤレスデバイス２０５は、ＢＬＥ、ＷｉＦｉ  Ａｗａｒｅ、ＬＴＥ−Ｄｉｒｅｃｔ、またはＬＴＥ近接サービスのような送信プロトコルを使用し得る。リクエストは、いつ１つまたは複数の遅延耐性メッセージがネットワークに送られることになるかについての遅延耐性または期限を備え得る。ブロック１００５のオペレーションは、図１〜図３Ｂを参照して説明された方法に従って行われ得る。ある特定の例では、ブロック１００５のオペレーションの態様は、図４〜図７を参照して説明されたようなメッセージリクエストコンポーネントによって行われ得る。
【０１３４】
[0139]  ブロック１０１０で、ワイヤレスデバイス２０５は、対応する１つまたは複数のワイヤレス中継デバイスから１つまたは複数の応答メッセージを受信し得る。１つまたは複数の応答メッセージは、対応するワイヤレス中継デバイスについてのネットワーク接触までの推定時間を示し得る。１つまたは複数の応答メッセージはコストメトリックをさらに備え得、ここにおいて該コストメトリックは、金銭的コスト、ワイヤレス中継デバイスリソース使用量、チャネル品質、またはワイヤレス中継デバイスが有するネットワークとの既存の接続のうちの少なくとも１つに基づく。ブロック１０１０のオペレーションは、図１〜図３Ｂを参照して説明された方法に従って行われ得る。ある特定の例では、ブロック１０１０のオペレーションの態様は、図５〜図７を参照して説明されたような応答メッセージコンポーネントによって行われ得る。
【０１３５】
[0140]  ブロック１０１５で、ワイヤレスデバイス２０５は、ネットワークに転送されるよう１つまたは複数の遅延耐性メッセージが送られ得る先の少なくとも１つのワイヤレス中継デバイスを決定するために１つまたは複数の応答メッセージを評価し得る。１つまたは複数の応答メッセージを評価することはさらに、１つまたは複数の遅延耐性メッセージが、遅延耐性内または期限前にネットワークに転送される確率を決定することを備え得る。ブロック１０１５のオペレーションは、図１〜図３Ｂを参照して説明された方法に従って行われ得る。ある特定の例では、ブロック１０１５のオペレーションの態様が、図５〜図７を参照して説明されたようなメッセージ評価コンポーネントによって行われ得る。
【０１３６】
[0141]  ブロック１０２０で、ワイヤレスデバイス２０５は、１つまたは複数の遅延耐性メッセージをワイヤレス中継デバイスのうちの少なくとも１つに送信し得る。ブロック１０２０のオペレーションは、図１〜図３Ｂを参照して説明された方法に従って行われ得る。ある特定の例では、ブロック１０２０のオペレーションの態様は、図５〜図７を参照して説明されたようなメッセージ送信コンポーネントによって行われ得る。
【０１３７】
[0142]  図１１は、本開示の様々な態様に従う、遅延耐性メッセージについての転送するノード選択およびルーティングのための方法１１００を例示するフローチャートを示す。方法１１００のオペレーションは、本明細書で説明されるようなワイヤレスデバイス２０５（例えばＩｏＴデバイス）またはそのコンポーネントによって実施され得る。例えば方法１１００のオペレーションは、図４〜図７を参照して説明されたような選択およびルーティングマネージャによって行われ得る。いくつかの例では、ワイヤレスデバイス２０５は、下記で説明される機能を行うために、デバイスの機能的要素を制御するためのコードのセットを実行し得る。加えてまたは代替的に、ワイヤレスデバイス２０５は、専用ハードウェアを使用して下記で説明される機能の態様を行い得る。
【０１３８】
[0143]  ブロック１１０５で、ワイヤレスデバイス２０５は、ネットワークに転送されるべき１つまたは複数の遅延耐性メッセージをワイヤレスデバイス２０５が有することを示すリクエストを送り得る。ワイヤレスデバイス２０５は、ＢＬＥ、ＷｉＦｉ  Ａｗａｒｅ、ＬＴＥ  Ｄｉｒｅｃｔ、またはＬＴＥ近接サービスのような送信プロトコルを使用し得る。リクエストは、いつ１つまたは複数の遅延耐性メッセージがネットワークに送られることになるかについての遅延耐性または期限を備え得る。ブロック１１０５のオペレーションは、図１〜図３Ｂを参照して説明された方法に従って行われ得る。ある特定の例では、ブロック１００５のオペレーションの態様は、図４〜図７を参照して説明されたようなメッセージリクエストコンポーネントによって行われ得る。
【０１３９】
[0144]  ブロック１１１０で、ワイヤレスデバイス２０５は、対応する１つまたは複数のワイヤレス中継デバイスから１つまたは複数の応答メッセージを受信し得る。１つまたは複数の応答メッセージは、対応するワイヤレス中継デバイスについてのネットワーク接触までの推定時間を示し得る。１つまたは複数の応答メッセージはコストメトリックをさらに備え、ここにおいて該コストメトリックは、金銭的コスト、ワイヤレス中継デバイスリソース使用量、チャネル品質、またはワイヤレス中継デバイスが有するネットワークとの既存の接続のうちの少なくとも１つに基づく。ブロック１１１０のオペレーションは、図１〜図３Ｂを参照して説明された方法に従って行われ得る。ある特定の例では、ブロック１０１０のオペレーションの態様は、図５〜図７を参照して説明されたような応答メッセージコンポーネントによって行われ得る。
【０１４０】
[0145]  ブロック１１１５で、ワイヤレスデバイス２０５は、１つまたは複数の遅延耐性メッセージをワイヤレス中継デバイスのうちの少なくとも１つに送信し得る。ブロック１１１５のオペレーションは、図１〜図３Ｂを参照して説明された方法に従って行われ得る。ある特定の例では、ブロック１１１５のオペレーションの態様は、図５〜図７を参照して説明されたようなメッセージ送信コンポーネントによって行われ得る。
【０１４１】
[0146]  上で説明された方法が可能な実施を説明していること、オペレーションおよびステップが再配列され得るか、または別の形で修正され得ること、並びに他の実施も可能であることに留意されたい。さらに、方法のうちの２つ以上からの態様が組み合わされ得る。
【０１４２】
[0147]  本明細書で説明されている技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムといった様々なワイヤレス通信システムのために使用され得る。「システム」および「ネットワーク」という用語は、しばしば交換可能に使用される。符号分割多元接続（ＣＤＭＡ）システムは、ＣＤＭＡ２０００、ユニバーサル地上無線アクセス（ＵＴＲＡ）等といった無線技術を実施し得る。ＣＤＭＡ２０００は、ＩＳ−２０００、ＩＳ−９５、およびＩＳ−８５６規格をカバーする。ＩＳ−２０００リリースは共通して、ＣＤＭＡ２０００  １Ｘ、１Ｘ等と称され得る。ＩＳ−８５６（ＴＩＡ−８５６）は共通して、ＣＤＭＡ２０００  １ｘＥＶ−ＤＯ、高速パケットデータ（ＨＲＰＤ）等と称される。ＵＴＲＡは、広帯域ＣＤＭＡ（ＷＣＤＭＡ（登録商標））およびＣＤＭＡの他の変形を含む。時分割多元接続（ＴＤＭＡ）システムは、モバイル通信のためのグローバルシステム（ＧＳＭ（登録商標））のような無線技術を実施し得る。
【０１４３】
[0148]  直交周波数分割多元接続（ＯＦＤＭＡ）システムは、ウルトラモバイルブロードバンド（ＵＭＢ）、発展型ＵＴＲＡ（Ｅ−ＵＴＲＡ）、米国電気電子学会（ＩＥＥＥ）８０２．１１（Ｗｉ−Ｆｉ）、ＩＥＥＥ８０２．１６（ＷｉＭＡＸ）、ＩＥＥＥ８０２．２０、フラッシュＯＦＤＭ等といった無線技術を実施し得る。ＵＴＲＡおよびＥ−ＵＴＲＡは、ユニバーサルモバイル電気通信システム（ＵＭＴＳ）の一部である。３ＧＰＰロングタームエボリューション（ＬＴＥ）およびＬＴＥ−Ａｄｖａｎｃｅｄ（ＬＴＥ−Ａ）は、Ｅ−ＵＴＲＡを使用するユニバーサルモバイル電気通信システム（ＵＭＴＳ）の新しいリリースである。ＵＴＲＡ、Ｅ−ＵＴＲＡ、ＵＭＴＳ、ＬＴＥ、ＬＴＥ−Ａ、およびモバイル通信のためのグローバルシステム（ＧＳＭ）は、「第３世代パートナーシッププロジェクト」（３ＧＰＰ）という名称の組織による文書において説明されている。ＣＤＭＡ２０００およびＵＭＢは、「第３世代パートナーシッププロジェクト２」（３ＧＰＰ２）という名称の組織による文書において説明されている。本明細書で説明されている技法は、上で言及されたシステムおよび無線技術、それに加えて他のシステムおよび無線技術に使用され得る。ＬＴＥシステムの態様が例の目的で説明され得、ＬＴＥの専門用語が本説明のほとんどにおいて使用され得るけれども、本明細書で説明されている技法は、ＬＴＥアプリケーションを超えて適用可能である。
【０１４４】
[0149]  本明細書で説明されているようなネットワークを含むＬＴＥ／ＬＴＥ−Ａネットワークでは、発展型ノードＢ（ｅＮＢ）という用語は一般に、基地局を説明するために使用され得る。本明細書で説明されている１つまたは複数のワイヤレス通信システムは、異なるタイプのｅＮＢが様々な地理的領域にカバレッジを提供する異種ＬＴＥ／ＬＴＥ−Ａネットワークを含み得る。例えば各ｅＮＢまたは基地局は、マクロセル、スモールセル、または他のタイプのセルに通信カバレッジを提供し得る。「セル」という用語は、コンテキストに応じて、基地局、基地局に関連付けられたキャリアもしくはコンポーネントキャリア、またはキャリアもしくは基地局のカバレッジエリア（例えばセクタ等）を説明するために使用され得る。
【０１４５】
[0150]  基地局は、トランシーバ基地局、無線基地局、アクセスポイント、無線トランシーバ、ノードＢ、ｅノードＢ（ｅＮＢ）、ホームノードＢ、ホームｅノードＢ、または何らかの他の適した専門用語で当業者によって称され得るか、またはそれらを含み得る。基地局についての地理的カバレッジエリアは、カバレッジエリアの一部分のみを構成するセクタに分割され得る。本明細書で説明されている１つまたは複数のワイヤレス通信のシステムは、異なるタイプの基地局（例えば、マクロまたはスモールセル基地局）を含み得る。本明細書で説明されているＵＥは、マクロｅＮＢ、スモールセルｅＮＢ、中継基地局等を含む、様々なタイプの基地局およびネットワーク機器と通信できることがある。異なる技術のために重複する地理的カバレッジエリアが存在し得る。
【０１４６】
[0151]  マクロセルは一般に、比較的広い地理的エリア（例えば、半径数キロメートル）をカバーし、ネットワークプロバイダにサービス加入したＵＥによる無制限アクセスを可能にし得る。スモールセルは、マクロセルと同じまたは異なる（例えば、ライセンス、アンライセンス等）周波数帯域でオペレートし得る、マクロセルと比較するとより低い電力の基地局である。スモールセルは、様々な例に従って、ピコセル、フェムトセル、およびマイクロセルを含み得る。ピコセルは、例えば、小さい地理的なエリアをカバーし得、ネットワークプロバイダにサービス加入したＵＥによる無制限のアクセスを可能にし得る。フェムトセルもまた、小さい地理的なエリア（例えば自宅）をカバーし得、フェムトセルとのアソシエーションを有するＵＥ（例えば、クローズド加入者グループ（ＣＳＧ）中のＵＥ、住居にいるユーザのためのＵＥ等）による制限付きアクセスを提供し得る。マクロセルのためのｅＮＢはマクロｅＮＢと称され得る。スモールセルのためのｅＮＢは、スモールセルｅＮＢ、ピコｅＮＢ、フェムトｅＮＢ、またはホームｅＮＢと称され得る。ｅＮＢは、１つまたは複数（例えば、２つ、３つ、４つ等）のセル（例えばコンポーネントキャリア）をサポートし得る。ＵＥは、マクロｅＮＢ、スモールセルｅＮＢ、リレー基地局等を含む様々なタイプの基地局およびネットワーク機器と通信できることがある。
【０１４７】
[0152]  本明細書で説明されている１つまたは複数のワイヤレス通信システムは、同期または非同期オペレーションをサポートし得る。同期オペレーションでは、基地局は同様のフレームタイミングを有し得、異なる基地局からの送信が時間的に近似に整列され得る。非同期オペレーションでは、基地局は異なるフレームタイミングを有し得、異なる基地局からの送信が時間的に整列されないことがある。本明細書で説明されている技法は、同期または非同期のどちらかのオペレーションのために使用され得る。
【０１４８】
[0153]  本明細書で説明されているダウンリンク送信はまた、順方向リンク送信とも呼ばれ得る一方で、アップリンク送信はまた、逆方向リンク送信とも呼ばれ得る。例えば図１および図２のワイヤレス通信システム１００および２００を含む、本明細書で説明されている各通信リンクは、１つまたは複数のキャリアを含み得、ここで各キャリアは、複数のサブキャリア（例えば異なる周波数の波形信号）から構成された信号であり得る。
【０１４９】
[0154]  添付の図面に関連して、本明細書で述べられている説明は、例となる構成を説明しており、実施され得るか、または請求項の範囲内にある全ての例を表していない。本明細書で使用されている「実例的（exemplary）」という用語は、「好ましい」または「他の例よりも有利である」を意味するのではなく、「例、事例、または例示としての役目をする」を意味する。詳細な説明は、説明されている技法の理解を提供する目的で具体的な詳細を含む。しかしながら、これらの技法は、これらの具体的な詳細なく実施され得る。いくつかの事例では、周知の構造およびデバイスが、説明されている例のコンセプトを暖味にすることを回避するためにブロック図の形態で図示されている。
【０１５０】
[0155]  添付の図では、同様のコンポーネントまたは特徴は、同じ参照ラベルを有し得る。さらに、同じタイプの様々なコンポーネントは、参照ラベルに、ハイフンと、類似のコンポーネントを区別する第２のラベルとを後続させることによって区別され得る。第１の参照ラベルのみが本明細書において使用される場合、その説明は、第２の参照ラベルにかかわらず、同じ第１の参照ラベルを有する同様のコンポーネントのうちの何れのものに適用可能である。
【０１５１】
[0156]  本明細書で説明されている情報および信号は、様々な異なる技術および技法のうちの何れを使用しても表され得る。例えば、上記説明全体を通して参照され得るデータ、命令、コマンド、情報、信号、ビット、シンボル、およびチップは、電圧、電流、電磁波、電磁場もしくは磁性粒子、光学場もしくは光学粒子、またはそれらの何れの組合せによっても表され得る。
【０１５２】
[0157]  本明細書における開示に関連して説明されている様々な例示的なブロックおよびモジュールは、本明細書で説明されている機能を行うように設計された、汎用プロセッサ、デジタルシグナルプロセッサ（ＤＳＰ）、特定用途向け集積回路（ＡＳＩＣ）、フィールドプログラマブルゲートアレイ（ＦＰＧＡ）もしくは他のプログラマブル論理デバイス、ディスクリートゲートもしくはトランジスタ論理回路、ディスクリートハードウェアコンポーネント、またはそれらの何れの組合せを用いても、実施または行われ得る。汎用プロセッサはマイクロプロセッサであり得るが、代わりとして該プロセッサは、何れの従来のプロセッサ、コントローラ、マイクロコントローラ、またはステートマシンでもあり得る。プロセッサはまた、コンピューティングデバイスの組合せ、（例えば、ＤＳＰおよびマイクロプロセッサの組合せ、複数のマイクロプロセッサ、ＤＳＰコアと連携した１つまたは複数のマイクロプロセッサ、または何れ他のそうした構成）としても実施され得る。
【０１５３】
[0158]  本明細書で説明されている機能は、ハードウェア、プロセッサによって実行されるソフトウェア、ファームウェア、またはそれらの何れの組合せでも実施され得る。プロセッサによって実行されるソフトウェアにおいて実施される場合、機能は、コンピュータ可読媒体上で、１つまたは複数の命令またはコードとして記憶または送信され得る。他の例および実施は、本開示および添付の請求項の範囲内にある。例えば、ソフトウェアの本質に起因して、上で説明された機能は、プロセッサによって実行されるソフトウェア、ハードウェア、ファームウェア、ハードワイヤリング、またはこれらのうちの何れのものの組合せを使用しても実施され得る。機能を実施する特徴はまた、様々なポジションに物理的に位置し得、それは、機能の複数の部分が異なる物理的位置で実施されるように分配されていることを含む。また、請求項を含む本明細書で使用されている場合、項目のリスト（例えば、「のうちの少なくとも１つ」または「のうちの１つまたは複数」といったフレーズで始まる項目のリスト）において使用されている場合、「もしくは／または／あるいは（or）」は、例えばＡ、Ｂ、またはＣのうちの少なくとも１つのリストが、Ａ、またはＢ、またはＣ、またはＡＢ、またはＡＣ、またはＢＣ、またはＡＢＣ（すなわち、ＡおよびＢおよびＣ）を意味するような包含的なリストを示す。
【０１５４】
[0159]  コンピュータ可読媒体は、１つの場所から別の場所へのコンピュータプログラムの伝達を容易にする何れの媒体も含む通信媒体と非一時的なコンピュータ記憶媒体との両方を含む。非一時的な記憶媒体は、汎用または専用コンピュータによってアクセスされ得る何れの利用可能な媒体でもあり得る。限定ではなく例として、非一時的コンピュータ可読媒体は、ＲＡＭ、ＲＯＭ、電気的消去可能プログラマブル読取専用メモリ（ＥＥＰＲＯＭ（登録商標））、コンパクトディスク（ＣＤ）ＲＯＭまたは他の光学ディスクストレージ、磁気ディスクストレージまたは他の磁気記憶デバイス、あるいは命令またはデータ構造の形態で所望のプログラムコード手段を搬送または記憶するために使用され得て、および汎用若しくは専用コンピュータ、または汎用もしくは専用プロセッサによってアクセスされ得る何れの他の非一時的媒体を備え得る。また、何れの接続手段も、厳密にはコンピュータ可読媒体と称される。例えば、ソフトウェアが、ウェブサイトから、サーバから、あるいは同軸ケーブル、光ファイパケーブル、ツイストペア、デジタル加入者線（ＤＳＬ）、または赤外線や、無線や、マイクロ波のようなワイヤレス技術を使用する他の遠隔ソースから送信された場合、同軸ケーブル、光ファイパケーブル、ツイストペア、デジタル加入者線（ＤＳＬ）、または赤外線や、無線や、マイクロ波のようなワイヤレス技術は、媒体の定義に含まれる。本明細書で使用されている場合、ディスク（disk）およびディスク（disc）は、ＣＤ、レーザーディスク（登録商標）（disc）、光学ディスク（disc）、デジタル多目的ディスク（disc）（ＤＶＤ）、フロッピー（登録商標）ディスク（disk）、およびブルーレイディスク（disc）を含み、ここでディスク（disk）は通常磁気的にデータを再生する一方で、ディスク（disc）は、レーザーを用いて光学的にデータを再生する。上記の組合せもまた、コンピュータ可読媒体の範囲内に含まれる。
【０１５５】
[0160]  本明細書における説明は、当業者が本開示を製造または使用することを可能にするために提供されている。本開示への様々な修正は、当業者には容易に明らかになり、本明細書で定義されている一般的な原理は、本開示の範囲から逸脱することなく、他のバリエーションに適用され得る。従って、本開示は、本明細書で説明されている例および設計に限定されず、本明細書で開示されている原理および新規な特徴と一致する最も広い範囲を与えられることとなる。
【図１】
2019521615.tif 000003
【図２Ａ】
2019521615.tif 000004
【図２Ｂ】
2019521615.tif 000005
【図３Ａ】
2019521615.tif 000006
【図３Ｂ】
2019521615.tif 000007
【図４】
2019521615.tif 000008
【図５】
2019521615.tif 000009
【図６】
2019521615.tif 000010
【図７】
2019521615.tif 000011
【図８】
2019521615.tif 000012
【図９】
2019521615.tif 000013
【図１０】
2019521615.tif 000014
【図１１】
2019521615.tif 000015
【国際調査報告】
2019521615.tif 000016
2019521615.tif 000017
2019521615.tif 000018
2019521615.tif 000019